(57)【要約】  本発明はインターフェース確立方法を提供する。本方法は、サービングノードにより第1指示情報をアンカーノードに送信し、第1指示情報はサービングノードとアンカーノード間の第1インターフェースを確立する指示に使用され（S201）、サービングノードにより第1指示情報に応答してアンカーノードから送信された応答情報を受信し（S202）、サービングノードによりアンカーノードから送信された第1指示情報を受信し、第1指示情報が第1インターフェースを確立する指示に使用され、サービングノードにより第1指示情報に応答して応答情報をアンカーノードに送信する。本発明は端末とサービングノード間の無線接続がアンカーノードで終了できる。端末が同じアンカーノードのサービングノードを変更した時、端末のインターフェースは変更される必要なく、ハンドオーバに起因するコアネットワークのシグナリング負荷を低減する。
2017531970.tif 000002
【特許請求の範囲】
【請求項１】
インターフェース確立方法であって、前記方法は、
サービングノードによって、第1の指示情報をアンカーノードに送信し、前記サービングノードによって、前記第1の指示情報に応答して前記アンカーノードによって送信された応答情報を受信するステップであって、前記第1の指示情報は、前記サービングノードと前記アンカーノードとの間の第1のインターフェースを確立するように指示するために使用される、ステップ、または
サービングノードによって、アンカーノードによって送信された第1の指示情報を受信し、前記サービングノードによって、前記第1の指示情報に応答して応答情報を前記アンカーノードに送信するステップであって、前記第1の指示情報は第1のインターフェースを確立するように指示するために使用される、ステップ
を含み、
前記第1のインターフェースは、前記サービングノードと前記アンカーノードとの間の少なくとも制御プレーンインターフェースを含み、前記制御プレーンインターフェースは、ユーザ端末の無線リソース制御RRCメッセージを伝送し、前記アンカーノードとモビリティ管理エンティティMMEとの間のインターフェース接続を確立し、前記サービングノードと前記ユーザ端末との間のエアインターフェース接続を確立する、ために少なくとも使用され、前記ユーザ端末の前記RRCメッセージ内のシグナリング無線ベアラ1 SRB1またはシグナリング無線ベアラ2 SRB2で搬送された前記RRCメッセージは、前記アンカーノードによってサービスされ、前記ユーザ端末のシグナリング無線ベアラ0 SRB0で搬送された前記RRCメッセージは、前記サービングノードによってサービスされる、
方法。
【請求項２】
前記方法は、
前記サービングノードによって、前記ユーザ端末によって送信されたアップリンクRRCメッセージを受信するステップであって、前記アップリンクRRCメッセージは、前記SRB0で搬送された前記RRCメッセージ、前記SRB1で搬送された前記RRCメッセージ、または前記SRB2で搬送された前記RRCメッセージを含む、ステップ、前記サービングノードによって、前記アップリンクRRCメッセージ内の前記SRB0を処理する、もしくは、前記第1のインターフェースを介して、前記アップリンクRRCメッセージ内の前記SRB1で搬送された前記RRCメッセージまたは前記SRB2に搬送された前記RRCメッセージを、前記アンカーノードに処理するために送信する、ステップ、および／または、
前記サービングノードによって、前記SRB0で搬送されたダウンリンクRRCメッセージを生成し、前記エアインターフェース接続を介して前記ダウンリンクRRCメッセージを、前記ユーザ端末に送信する、もしくは前記第1のインターフェースを介して前記サービングノードによって、前記SRB1または前記SRB2で搬送され、前記アンカーノードによって送信されたダウンリンクRRCメッセージを受信し、前記サービングノードによって、前記SRB1または前記SRB2に搬送された前記ダウンリンクRRCメッセージを前記エアインターフェース接続を介して前記ユーザ端末に送信する、ステップ
をさらに含む、請求項1に記載の方法。
【請求項３】
サービングノードによって、第1の指示情報をアンカーノードに送信する前記ステップの前に、前記方法は、
前記サービングノードによって、前記サービングノードに関連するアンカーノードのアンカーノード情報を取得するステップ
をさらに含む、請求項1または2に記載の方法。
【請求項４】
前記アンカーノードと前記MMEとの間の前記インターフェース接続を確立するための前記インターフェースは、具体的には、S1−MMEインターフェースである、請求項1から3のいずれか一項に記載の方法。
【請求項５】
前記サービングノードによって、前記サービングノードに関連するアンカーノードのアンカーノード情報を取得する前記ステップは、具体的には、
前記サービングノードによって、オペレーション管理メンテナンスOAMシステムを用いて前記アンカーノード情報を取得するステップ、または
前記サービングノードによって、前記アンカーノードのダウンリンク信号を用いて前記アンカーノード情報を取得するステップであって、前記ダウンリンク信号は、同期信号およびシステム情報を含む、取得するステップ、または
前記サービングノードに前記アンカーノード情報が構成されている場合、前記サービングノードに関連する前記アンカーノードの前記構成されたアンカーノード情報を取得するステップ
を含む、請求項1から4のいずれか一項に記載の方法。
【請求項６】
前記方法は、前記サービングノードによって、前記アンカーノードによって送信され、前記サービングノードによってサポートされる必要がある第1のトラッキングエリアコードTACを受信する、または前記サービングノードによって、前記サービングノードによってサポートされる第2のTACを前記アンカーノードに示す、ステップと、
前記サービングノードによって、前記第1のインターフェースを介して前記アンカーノードによって送信されたページングメッセージを受信するステップであって、前記ページングメッセージは、前記アンカーノードと前記モビリティ管理エンティティとの間に確立された前記インターフェースを介して前記MMEから前記アンカーノードによって受信され、前記第1のTACまたは前記第2のTACは、前記MMEによって送信された前記ページングメッセージに含まれる、ステップと
をさらに含む、請求項1から5のいずれか一項に記載の方法。
【請求項７】
前記アンカーノードが基地局である、または前記アンカーノードが集中コントローラまたは制御プレーンサーバである、請求項1から6のいずれか一項に記載の方法。
【請求項８】
前記方法は、
前記サービングノードによって、前記サービングノードのサービングセルのコードを前記アンカーノードに送信するステップであって、前記サービングセルの前記コードは、前記サービングセルを前記アンカーノードのサービングセルとして使用するために前記アンカーノードによって使用され、前記アンカーノードの隣接するアンカーノードまたは隣接する基地局に送信される、ステップ
をさらに含む、請求項1から7のいずれか一項に記載の方法。
【請求項９】
前記方法は、
前記サービングノードによって、前記サービングノードと前記アンカーノードとの間の前記制御プレーンインターフェースを介して、前記アンカーノードによって送信された非UE関連Non−UE Associatedメッセージを受信するステップであって、前記Non−UE Associated メッセージは、前記MMEから前記アンカーノードによって受信される、ステップ
をさらに含む、請求項1から8のいずれか一項に記載の方法。
【請求項１０】
インターフェース確立方法であって、前記方法は、
アンカーノードによって、サービングノードによって送信された第1の指示メッセージを受信し、前記アンカーノードによって、前記第1の指示メッセージに応答して応答情報を前記アンカーノードに送信するステップであって、第1の指示情報は、前記サービングノードと前記アンカーノードとの間の第1のインターフェースを確立するように指示するために使用される、ステップ、または
前記アンカーノードによって、第1の指示情報を前記サービングノードに送信し、前記アンカーノードによって、前記第1の指示情報に応答して前記サービングノードによって送信された応答情報を受信するステップであって、前記第1の指示情報は第1のインターフェースを確立するように指示するために使用される、ステップ
を含み、
前記第1のインターフェースは、前記サービングノードと前記アンカーノードとの間の少なくとも制御プレーンインターフェースを含み、前記制御プレーンインターフェースは、ユーザ端末のRRCメッセージを伝送し、前記アンカーノードとMMEとの間のインターフェース接続を確立し、前記サービングノードと前記ユーザ端末との間のエアインターフェース接続を確立する、ために少なくとも使用され、前記ユーザ端末の前記RRCメッセージ内のSRB1またはSRB2で搬送された前記RRCメッセージは、前記アンカーノードによってサービスされ、前記ユーザ端末のSRB0で搬送された前記RRCメッセージは、前記サービングノードによってサービスされる、
方法。
【請求項１１】
前記方法は、
前記第1のインターフェースを介して前記アンカーノードによって、前記サービングノードによって送信されたアップリンクRRCメッセージ内の前記SRB1で搬送された前記RRCメッセージまたは前記SRB2で搬送された前記RRCメッセージを受信し、前記RRCメッセージを処理するステップであって、前記アップリンクRRCメッセージは、前記ユーザ端末から前記サービングノードによって受信され、前記アップリンクRRCメッセージは、前記SRB0で搬送された前記RRCメッセージ、前記SRB1で搬送された前記RRCメッセージ、または前記SRB2で搬送された前記RRCメッセージを含む、ステップ、および／または、
前記アンカーノードによって、前記SRB1または前記SRB2に搬送されたダウンリンクRRCメッセージを、前記第1のインターフェースを介して前記サービングノードに送信し、そのため前記サービングノードは、前記SRB1または前記SRB2で搬送された前記ダウンリンクRRCメッセージを前記エアインターフェース接続を介して前記ユーザ端末に送信する、ステップであって、前記ダウンリンクRRCメッセージは、前記SRB1に搬送された前記RRCメッセージまたは前記SRB2に搬送された前記RRCメッセージを含む、ステップ
をさらに含む、請求項10に記載の方法。
【請求項１２】
アンカーノードによって、サービングノードによって送信された第1の指示メッセージを受信する前記ステップの前に、前記方法は、
前記アンカーノードによって、前記アンカーノードに関連するサービングノードのサービングノード情報を取得するステップ
をさらに含む、請求項10または11に記載の方法。
【請求項１３】
前記アンカーノードと前記MMEとの間の前記インターフェース接続を確立するための前記インターフェースは、具体的には、S1−MMEインターフェースである、請求項10から12のいずれか一項に記載の方法。
【請求項１４】
前記アンカーノードによって、前記アンカーノードに関連するサービングノードのサービングノード情報を取得する前記ステップは、具体的には、
前記アンカーノードによって、OAMを用いて前記サービングノード情報を取得するステップ、または
前記サービングノード情報が前記アンカーノードに構成されている場合、前記アンカーノードに関連する前記サービングノードの前記構成されたサービングノード情報を取得するステップ
を含む、請求項10から13のいずれか一項に記載の方法。
【請求項１５】
前記方法は、
前記アンカーノードによって、前記サービングノードによって前記サービングノードにサポートされる必要がある第1のTACを送信する、または前記サービングノードによってサポートされ前記サービングノードによって示される第2のTACを前記アンカーノードによって受信する、ステップと、
前記アンカーノードと前記MMEとの間に確立された前記インターフェースを介して前記アンカーノードによって、前記MMEによって送信されたページングメッセージを受信するステップと、
前記第1のTACまたは前記第2のTACが前記ページングメッセージに含まれる場合、前記アンカーノードによって、前記ページングメッセージを前記第1のインターフェースを介して前記サービングノードに送信するステップと
をさらに含む、請求項10から14のいずれか一項に記載の方法。
【請求項１６】
前記アンカーノードが基地局である、または前記アンカーノードが集中コントローラまたは制御プレーンサーバである、請求項10から15のいずれか一項に記載の方法。
【請求項１７】
前記方法は、
前記サービングノードによって送信される前記サービングノードのサービングセルのコードを受信するステップであって、前記サービングセルの前記コードは、前記サービングセルをサービングセルとして使用するために前記アンカーノードによって使用され、隣接するアンカーノードまたは隣接する基地局に送信される、ステップ
をさらに含む、請求項10から16のいずれか一項に記載の方法。
【請求項１８】
前記方法は、
前記アンカーノードによって、前記MMEによって送信されたNon−UE Associatedメッセージを受信し、前記アンカーノードによって、前記サービングノードと前記アンカーノードとの間の前記制御プレーンインターフェースを介して前記Non−UE Associatedメッセージを前記サービングノードに送信するステップ
をさらに含む、請求項10から17のいずれか一項に記載の方法。
【請求項１９】
インターフェース確立装置であって、前記装置は、
第1の指示情報をアンカーノードに送信するように構成された送信部であって、前記第1の指示情報は、サービングノードと前記アンカーノードとの間の第1のインターフェースを確立するように指示するために使用される、送信部、および前記第1の指示情報に応答して前記アンカーノードによって送信された応答情報を受信するように構成された受信部、または
アンカーノードによって送信された第1の指示情報を受信するようにさらに構成された前記受信部であって、前記第1の指示情報は、第1のインターフェースを確立するように指示するために使用される前記受信部、および前記第1の指示情報に応答して応答情報を前記アンカーノードに送信するようにさらに構成された前記送信部
を備え、
前記第1のインターフェースは、前記サービングノードと前記アンカーノードとの間の少なくとも制御プレーンインターフェースを含み、前記制御プレーンインターフェースは、ユーザ端末の無線リソース制御RRCメッセージを伝送し、前記アンカーノードとモビリティ管理エンティティMMEとの間のインターフェース接続を確立し、前記装置と前記ユーザ端末との間のエアインターフェース接続を確立する、ために少なくとも使用され、前記ユーザ端末の前記RRCメッセージ内のシグナリング無線ベアラ1 SRB1またはシグナリング無線ベアラ2 SRB2で搬送された前記RRCメッセージは、前記アンカーノードによってサービスされ、前記ユーザ端末のシグナリング無線ベアラ0 SRB0で搬送された前記RRCメッセージは、前記サービングノードによってサービスされる、
装置。
【請求項２０】
前記装置はさらに処理部を備え、
前記受信部は、前記ユーザ端末によって送信されたアップリンクRRCメッセージを受信するようにさらに構成され、前記アップリンクRRCメッセージは、前記SRB0で搬送された前記RRCメッセージ、前記SRB1で搬送された前記RRCメッセージ、または前記SRB2で搬送された前記RRCメッセージを含み、前記処理部は、前記アップリンクRRCメッセージ内の前記SRB0を処理するように構成され、または前記送信部は、前記第1のインターフェースを介して、前記アップリンクRRCメッセージ内の前記SRB1で搬送された前記RRCメッセージまたは前記SRB2で搬送された前記RRCメッセージを、処理のために前記アンカーノードに送信するようにさらに構成され、および／または、
前記送信部は、前記SRB0に搬送されたダウンリンクRRCメッセージを生成し、前記エアインターフェース接続を介して前記ダウンリンクRRCメッセージを前記ユーザ端末に送信し、または前記第1のインターフェースを介して、前記SRB1または前記SRB2で搬送され、前記アンカーノードによって送信されたダウンリンクRRCメッセージを受信し、前記エアインターフェース接続を介して前記SRB1または前記SRB2で搬送された前記ダウンリンクRRCメッセージを前記ユーザ端末に送信するようにさらに構成されている、
請求項19に記載の装置。
【請求項２１】
前記装置は、
前記サービングノードに関連するアンカーノードのアンカーノード情報を取得するように構成された取得部
をさらに備える、請求項19または20に記載の装置。
【請求項２２】
前記アンカーノードと前記MMEとの間の前記インターフェース接続を確立するための前記インターフェースは、具体的には、S1−MMEインターフェースである、請求項19から21のいずれか一項に記載の装置。
【請求項２３】
前記取得部は、具体的には、
オペレーション管理メンテナンスOAMシステムを用いてアンカーノード情報を取得し、または
前記アンカーノードのダウンリンク信号を用いて前記アンカーノード情報を取得し、前記ダウンリンク信号は同期信号とシステム情報とを含み、または
前記アンカーノード情報が前記装置に構成されている場合、前記サービングノードに関連する前記アンカーノードの前記構成されたアンカーノード情報を取得する
ように構成されている、請求項19から22のいずれか一項に記載の装置。
【請求項２４】
前記受信部は、前記アンカーノードによって送信され、サポートされる必要がある第1のトラッキングエリアコードTACを受信するようにさらに構成される、または前記送信部は、前記サービングノードによってサポートされる第2のTACを前記アンカーノードに示すようにさらに構成され、
前記受信部は、前記第1のインターフェースを介して前記アンカーノードによって送信されたページングメッセージを受信するようにさらに構成され、前記ページングメッセージは、前記アンカーノードと前記モビリティ管理エンティティとの間に確立された前記インターフェースを介して前記MMEから前記アンカーノードによって受信され、前記第1のTACまたは前記第2のTACは、前記MMEによって送信された前記ページングメッセージに含まれる、
請求項19から23のいずれか一項に記載の装置。
【請求項２５】
前記アンカーノードが基地局である、または前記アンカーノードが集中コントローラまたは制御プレーンサーバである、請求項19から24のいずれか一項に記載の装置。
【請求項２６】
前記送信部は、前記サービングノードのサービングセルのコードを前記アンカーノードに送信するようにさらに構成され、前記サービングセルの前記コードは、前記サービングセルを前記アンカーノードのサービングセルとして使用するために前記アンカーノードによって使用され、前記アンカーノードの隣接するアンカーノードまたは隣接する基地局に送信される、
請求項19から25のいずれか一項に記載の装置。
【請求項２７】
前記受信部は、前記サービングノードと前記アンカーノードとの間の前記制御プレーンインターフェースを介して、前記アンカーノードによって送信された非UE関連Non−UE Associatedメッセージを受信するようにさらに構成され、前記Non−UE Associated メッセージは、前記MMEから前記アンカーノードによって受信される、
請求項19から26のいずれか一項に記載の装置。
【請求項２８】
前記装置は、前記サービングノードに配置される、請求項19から27のいずれか一項に記載の装置。
【請求項２９】
インターフェース確立装置であって、前記装置は、
サービングノードによって送信された第1の指示メッセージを受信するように構成された受信部であって、第1の指示情報が前記サービングノードとアンカーノードとの間の第1のインターフェースを確立するように指示するために使用される、受信部、および前記第1の指示メッセージに応答して応答情報を前記装置に送信するように構成された送信部、または
第1の指示情報を前記サービングノードに送信するようにさらに構成された前記送信部であって、前記第1の指示情報は、第1のインターフェースを確立するように指示するために使用される、前記送信部、および、前記第1の指示情報に応答して前記サービングノードによって送信された応答情報を受信するようにさらに構成された前記受信部
を備え、
前記第1のインターフェースは、前記サービングノードと前記アンカーノードとの間の少なくとも制御プレーンインターフェースを含み、前記制御プレーンインターフェースは、ユーザ端末のRRCメッセージを伝送し、前記装置とMMEとの間のインターフェース接続を確立し、前記サービングノードと前記ユーザ端末との間のエアインターフェース接続を確立する、ために少なくとも使用され、前記ユーザ端末の前記RRCメッセージ内のSRB1またはSRB2で搬送された前記RRCメッセージは、前記アンカーノードによってサービスされ、前記ユーザ端末のSRB0で搬送された前記RRCメッセージは、前記サービングノードによってサービスされる、
装置。
【請求項３０】
前記受信部は、前記第1のインターフェースを介して、前記サービングノードによって送信されたアップリンクRRCメッセージ内の前記SRB1で搬送された前記RRCメッセージまたは前記SRB2で搬送された前記RRCメッセージを受信し、前記RRCメッセージを処理するようにさらに構成され、前記アップリンクRRCメッセージは、前記ユーザ端末から前記サービングノードによって受信され、前記アップリンクRRCメッセージは、前記SRB0で搬送された前記RRCメッセージ、前記SRB1で搬送された前記RRCメッセージ、または前記SRB2で搬送された前記RRCメッセージを含み、および／または
前記送信部は、前記SRB1または前記SRB2に搬送されたダウンリンクRRCメッセージを、前記第1のインターフェースを介して前記サービングノードに送信するようにさらに構成され、そのため前記サービングノードは、前記SRB1または前記SRB2で搬送された前記ダウンリンクRRCメッセージを前記エアインターフェース接続を介して前記ユーザ端末に送信し、前記ダウンリンクRRCメッセージは、前記SRB1に搬送された前記RRCメッセージまたは前記SRB2に搬送された前記RRCメッセージを含む、
請求項29に記載の装置。
【請求項３１】
前記装置は、
前記アンカーノードに関連するサービングノードのサービングノード情報を取得するように構成された取得部
をさらに備える、請求項29から30のいずれか一項に記載の装置。
【請求項３２】
前記装置と前記MMEとの間の前記インターフェース接続を確立するための前記インターフェースは、具体的には、S1−MMEインターフェースである、請求項29から31のいずれか一項に記載の装置。
【請求項３３】
前記取得部は、具体的には、
OAMを用いて前記サービングノード情報を取得する、または
前記サービングノード情報が前記装置に構成されている場合、前記アンカーノードに関連する前記サービングノードの構成された前記サービングノード情報を取得する
ように構成されている、請求項29から32のいずれか一項に記載の装置。
【請求項３４】
前記送信部は、前記サービングノードによってサポートされる必要がある第1のTACを前記サービングノードに送信するようにさらに構成され、または前記受信部は、前記サービングノードによってサポートされ、前記サービングノードによって示される第2のTACを受信するようにさらに構成され、
前記受信部は、前記装置と前記MMEとの間に確立された前記インターフェースを介して、前記MMEによって送信されたページングメッセージを受信するようにさらに構成され、
前記送信部は、前記第1のTACまたは前記第2のTACが前記ページングメッセージに含まれている場合、前記第1のインターフェースを介して、前記ページングメッセージを前記サービングノードに送信するようにさらに構成されている、
請求項29から33のいずれか一項に記載の装置。
【請求項３５】
前記装置が基地局である、または集中コントローラまたは制御プレーンサーバである、請求項29から34のいずれか一項に記載の装置。
【請求項３６】
前記受信部は、前記サービングノードによって送信される前記サービングノードのサービングセルのコードを受信するようにさらに構成され、前記サービングセルの前記コードは、前記サービングセルをサービングセルとして使用するために前記アンカーノードによって使用され、隣接するアンカーノードまたは隣接する基地局に送信される、
請求項29から35のいずれか一項に記載の装置。
【請求項３７】
前記受信部は、前記MMEによって送信されたNon−UE Associatedメッセージを受信し、前記サービングノードと前記アンカーノードとの間の前記制御プレーンインターフェースを介して前記Non−UE Associatedメッセージを前記サービングノードに送信するようにさらに構成された
請求項29から36のいずれか一項に記載の装置。
【請求項３８】
前記装置は、前記アンカーノードに配置される、請求項29から37のいずれか一項に記載の装置。
【請求項３９】
インターフェース確立装置であって、前記装置は、
ネットワークインターフェースと、
プロセッサと、
メモリと、
前記メモリに物理的に格納されたアプリケーションプログラムであって、前記アプリケーションプログラムは、前記プロセッサおよび前記システムが以下のプロセス：
第1の指示情報をアンカーノードに送信し、前記第1の指示情報に応答して前記アンカーノードによって送信された応答情報を受信し、前記第1の指示情報は、サービングノードと前記アンカーノードとの間の第1のインターフェースを確立するよう指示するために使用される、または
アンカーノードによって送信された第1の指示情報を受信し、前記第1の指示情報に応答して応答情報を前記アンカーノードに送信し、前記第1の指示情報は、第1のインターフェースを確立するように指示するために使用される、
プロセスの指示を実行することを可能にし得る指示を含む、アプリケーションプログラムと、
を備え、
前記第1のインターフェースは、前記サービングノードと前記アンカーノードとの間の少なくとも制御プレーンインターフェースを含み、前記制御プレーンインターフェースは、ユーザ端末の無線リソース制御RRCメッセージを伝送し、前記アンカーノードとモビリティ管理エンティティMMEとの間のインターフェース接続を確立し、前記装置と前記ユーザ端末との間のエアインターフェース接続を確立する、ために少なくとも使用され、前記ユーザ端末の前記RRCメッセージ内のシグナリング無線ベアラ1 SRB1またはシグナリング無線ベアラ2 SRB2で搬送された前記RRCメッセージは、前記アンカーノードによってサービスされ、前記ユーザ端末のシグナリング無線ベアラ0 SRB0で搬送された前記RRCメッセージは、前記サービングノードによってサービスされる、
装置。
【請求項４０】
インターフェース確立装置であって、前記装置は、
ネットワークインターフェースと、
プロセッサと、
メモリと、
前記メモリに物理的に格納されたアプリケーションプログラムであって、前記アプリケーションプログラムは、前記プロセッサおよび前記システムが以下のプロセス：
サービングノードによって送信された第1の指示メッセージを受信し、前記第1の指示メッセージに応答して応答情報を前記装置に送信し、前記第1の指示情報は、前記サービングノードと前記アンカーノードとの間の第1のインターフェースを確立するよう指示するために使用される、または
第1の指示情報を前記サービングノードに送信し、前記第1の指示情報に応答して前記サービングノードによって送信された応答情報を前記アンカーノードで受信し、前記第1の指示情報は、第1のインターフェースを確立するように指示するために使用される、
プロセスの指示を実行することを可能にし得る指示を含む、アプリケーションプログラムと、
を備え、
前記第1のインターフェースは、前記サービングノードと前記アンカーノードとの間の少なくとも制御プレーンインターフェースを含み、前記制御プレーンインターフェースは、ユーザ端末のRRCメッセージを伝送し、前記装置とMMEとの間のインターフェース接続を確立し、前記サービングノードと前記ユーザ端末との間のエアインターフェース接続を確立する、ために少なくとも使用され、前記ユーザ端末の前記RRCメッセージ内のSRB1またはSRB2で搬送された前記RRCメッセージは、前記アンカーノードによってサービスされ、前記ユーザ端末のSRB0で搬送された前記RRCメッセージは、前記サービングノードによってサービスされる、
装置。
【発明の詳細な説明】
【技術分野】
【０００１】
本発明は、通信分野に関し、特に、インターフェース確立方法および装置に関する。
【背景技術】
【０００２】
ユーザ端末（UE、User Equipment）の増加に伴って、既存の無線通信システムは、ユーザの無線通信要件を満たすことができない。したがって、無線通信システムのシステム容量を増大させることが急務である。システム容量は、基地局を追加することによって増加させることができる。典型的なプラクティスは、より多くのピコセルを形成するためにマクロセル内に多数の小さなセルを密集して配置することである。しかしながら、ほとんどのUEは1つの基地局のみに接続されており、この基地局はUEのための無線通信サービスを提供する。説明を容易にするために、UEのための無線通信サービスを提供する基地局は、UEのサービングノードと呼ばれる。
【０００３】
従来技術では、UEがあるセルから別のセルに移動したとき、またはUEがある基地局のサービスエリアから別の基地局のサービスエリアに移動したとき、またはUEが無線リンク障害（RLF、Radio Link Failure）を発見したとき、UEはサービングノードを切り替えることができる。すなわち、UEのサービングノードは、1つの基地局から別の基地局へと変化する。サービングノードは、制御プレーンインターフェースを介してモビリティ管理エンティティ（MME、Mobility Management Entity）に接続され、サービングノードは、ユーザプレーンインターフェースを介してSGW（Serving Gateway、サービングゲートウェイ）に接続されるため、UEのサービングノードが変更された後、サービングノードとMMEとの間のS1制御プレーン接続を更新するために、新しいサービングノードとMMEとの間でシグナリングを送信する必要があり、同時に、サービングノードとSGWとの間のS1ユーザプレーン接続を更新するために、シグナリングもMMEとSGWとの間で送信される必要がある。このようにして、各ハンドオーバプロセスは少なくとも4つのメッセージをもたらす。配置された基地局の密度が増加すると、ハンドオーバが急激に増加し、コアネットワークのシグナリング負荷を急激に増加させる。さらに、各サービングノードは、制御プレーンインターフェースを介してMMEに接続される。MMEがページングメッセージを送信する必要がある場合、MMEは、ページングメッセージに対応するTA（tracking area、トラッキングエリア）内のすべての基地局にページングメッセージを送信し、これはコアネットワークのシグナリング負荷を急激に増加させる。
【発明の概要】
【課題を解決するための手段】
【０００４】
このような点から、本発明の実施形態は、コアネットワークのシグナリング負荷を低減するためのインターフェース確立方法および装置を提供する。
【０００５】
第1の態様によれば、本発明の実施形態は、インターフェース確立方法を提供し、本方法は、
サービングノードによって、第1の指示情報をアンカーノードに送信し、サービングノードによって、第1の指示情報に応答してアンカーノードによって送信された応答情報を受信するステップであって、第1の指示情報は、サービングノードとアンカーノードとの間の第1のインターフェースを確立するように指示するために使用される、ステップ、または
サービングノードによって、アンカーノードによって送信された第1の指示情報を受信し、サービングノードによって、第1の指示情報に応答して応答情報をアンカーノードに送信するステップであって、第1の指示情報は第1のインターフェースを確立するように指示するために使用される、ステップ
を含み、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、サービングノードとユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【０００６】
第1の態様の第1の可能な実施態様において、本方法は、サービングノードによって、ユーザ端末によって送信されたアップリンクRRCメッセージを受信するステップであって、アップリンクRRCメッセージは、SRB0で搬送されたRRCメッセージ、SRB1で搬送されたRRCメッセージ、またはSRB2で搬送されたRRCメッセージを含む、ステップ、サービングノードによって、アップリンクRRCメッセージ内のSRB0を処理する、もしくは、第1のインターフェースを介して、アップリンクRRCメッセージ内のSRB1で搬送されたRRCメッセージまたはSRB2に搬送されたRRCメッセージを、アンカーノードに処理するために送信する、ステップ、および／または、
サービングノードによって、SRB0で搬送されたダウンリンクRRCメッセージを生成し、エアインターフェース接続を介してダウンリンクRRCメッセージを、ユーザ端末に送信する、もしくは第1のインターフェースを介してサービングノードによって、SRB1またはSRB2で搬送され、アンカーノードによって送信されたダウンリンクRRCメッセージを受信し、サービングノードによって、SRB1またはSRB2に搬送されたダウンリンクRRCメッセージをエアインターフェース接続を介してユーザ端末に送信する、ステップ
をさらに含む。
【０００７】
第1の態様または第1の態様の第1の可能な実施態様に関連して、第2の可能な実施態様において、サービングノードによって第1の指示情報をアンカーノードに送信するステップの前に、本方法は、サービングノードによって、サービングノードに関連するアンカーノードのアンカーノード情報を取得するステップをさらに含む。
【０００８】
第1の態様または第1の態様の第1もしくは第2の可能な実施態様に関連して、第3の可能な実施態様において、アンカーノードとMMEとの間のインターフェース接続を確立するためのインターフェースは、具体的にはS1−MMEインターフェースである。
【０００９】
第1の態様または第1の態様の第1、第2、もしくは第3の可能な実施態様に関連して、第4の可能な実施態様において、サービングノードによって、サービングノードに関連するアンカーノードのアンカーノード情報を取得するステップは、具体的には、
サービングノードによって、オペレーション管理メンテナンスOAMシステムを用いてアンカーノード情報を取得するステップ、または
サービングノードによって、アンカーノードのダウンリンク信号を用いてアンカーノード情報を取得するステップであって、ダウンリンク信号は、同期信号およびシステム情報を含む、取得するステップ、または
サービングノードにアンカーノード情報が構成されている場合、サービングノードに関連するアンカーノードの構成されたアンカーノード情報を取得するステップ、
を含む。
【００１０】
第1の態様または第1の態様の第1、第2、第3、もしくは第4の可能な実施態様に関連して、第5の可能な実施態様において、本方法は、サービングノードによって、アンカーノードによって送信され、サービングノードによってサポートされる必要がある第1のトラッキングエリアコードTACを受信する、またはサービングノードによって、サービングノードによってアンカーノードにサポートされる第2のTACを示す、ステップと、
サービングノードによって、第1のインターフェースを介してアンカーノードによって送信されたページングメッセージを受信するステップであって、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる、ステップと
をさらに含む。
【００１１】
第1の態様または第1の態様の第1、第2、第3、第4、もしくは第5の可能な実施態様に関連して、第6の可能な実施態様において、アンカーノードは基地局である、またはアンカーノードは集中コントローラまたは制御プレーンサーバである。
【００１２】
第1の態様または第1の態様の第1、第2、第3、第4、第5、もしくは第6の可能な実施態様に関連して、第7の可能な実施態様において、本方法は、
サービングノードによって、サービングノードのサービングセルのコードをアンカーノードに送信するステップであって、サービングセルのコードは、サービングセルをアンカーノードのサービングセルとして使用するためにアンカーノードによって使用され、アンカーノードの隣接するアンカーノードまたは隣接する基地局に送信される、ステップ
をさらに含む。
【００１３】
第1の態様または第1の態様の第1、第2、第3、第4、第5、第6もしくは第7の可能な実施態様に関連して、第8の可能な実施態様において、本方法は、
サービングノードとアンカーノードとの間の制御プレーンインターフェースを介してサービングノードによって、アンカーノードによって送信された非UE関連Non−UE Associatedメッセージを受信するステップであって、Non−UE Associatedメッセージは、MMEからアンカーノードによって受信される、ステップ
をさらに含む。
【００１４】
第2の態様によれば、本発明の実施形態はインターフェース確立方法を提供する。本方法は、
アンカーノードによって、サービングノードによって送信された第1の指示メッセージを受信し、アンカーノードによって、第1の指示メッセージに応答して応答情報をアンカーノードに送信するステップであって、第1の指示情報は、サービングノードとアンカーノードとの間の第1のインターフェースを確立するように指示するために使用される、ステップ、または
アンカーノードによって、第1の指示情報をサービングノードに送信し、アンカーノードによって、第1の指示情報に応答してサービングノードによって送信された応答情報を受信するステップであって、第1の指示情報は第1のインターフェースを確立するように指示するために使用される、ステップ
を含み、
第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のSRB0で搬送されたRRCメッセージは、サービングノードによってサービスされる。
【００１５】
第1の態様の第1の可能な実施態様において、本方法は、
第1のインターフェースを介してアンカーノードによって、サービングノードによって送信されたアップリンクRRCメッセージ内のSRB1で搬送されたRRCメッセージまたはSRB2で搬送されたRRCメッセージを受信し、RRCメッセージを処理するステップであって、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含む、ステップ、および／または
アンカーノードによって、SRB1またはSRB2に搬送されたダウンリンクRRCメッセージを、第1のインターフェースを介してサービングノードに送信し、そのためサービングノードは、SRB1またはSRB2で搬送されたダウンリンクRRCメッセージをエアインターフェース接続を介してユーザ端末に送信する、ステップであって、ダウンリンクRRCメッセージは、SRB1に搬送されたRRCメッセージまたはSRB2に搬送されたRRCメッセージを含む、ステップ
をさらに含む。
【００１６】
第1の態様または第1の態様の第1の可能な実施態様に関連して、第2の可能な実施態様において、アンカーノードによって、サービングノードによって送信された第1の指示メッセージを受信するステップの前に、本方法は、
アンカーノードによって、アンカーノードに関連するサービングノードのサービングノード情報を取得するステップ
をさらに含む。
【００１７】
第1の態様または第1の態様の第1もしくは第2の可能な実施態様に関連して、第3の可能な実施態様において、アンカーノードとMMEとの間のインターフェース接続を確立するためのインターフェースは、具体的にはS1−MMEインターフェースである。
【００１８】
第1の態様または第1の態様の第1、第2、もしくは第3の可能な実施態様に関連して、第4の可能な実施態様において、アンカーノードによって、アンカーノードに関連するサービングノードのサービングノード情報を取得するステップは、具体的には、
アンカーノードによって、OAMを用いてサービングノード情報を取得するステップ、または
サービングノード情報がアンカーノードに構成されている場合、アンカーノードに関連するサービングノードの構成されたサービングノード情報を取得するステップ
を含む。
【００１９】
第1の態様または第1の態様の第1、第2、第3、もしくは第4の可能な実施態様に関連して、第5の可能な実施態様において、本方法は、
アンカーノードによって、サービングノードによってサービングノードにサポートされる必要がある第1のTACを送信する、またはサービングノードによってサポートされサービングノードによって示される第2のTACを、アンカーノードによって受信する、ステップと、
アンカーノードとMMEとの間に確立されたインターフェースを介してアンカーノードによって、MMEによって送信されたページングメッセージを受信するステップと、
第1のTACまたは第2のTACがページングメッセージに含まれる場合、アンカーノードによって、ページングメッセージを第1のインターフェースを介してサービングノードに送信するステップと
をさらに含む。
【００２０】
第1の態様または第1の態様の第1、第2、第3、第4、もしくは第5の可能な実施態様に関連して、第6の可能な実施態様において、アンカーノードは基地局である、またはアンカーノードは集中コントローラまたは制御プレーンサーバである。
【００２１】
第1の態様または第1の態様の第1、第2、第3、第4、第5、もしくは第6の可能な実施態様に関連して、第7の可能な実施態様において、本方法は、
サービングノードによって送信されるサービングノードのサービングセルのコードを受信するステップであって、サービングセルのコードは、サービングセルをサービングセルとして使用するためにアンカーノードによって使用され、隣接するアンカーノードまたは隣接する基地局に送信される、ステップ
をさらに含む。
【００２２】
第1の態様または第1の態様の第1、第2、第3、第4、第5、第6、もしくは第7の可能な実施態様に関連して、第8の可能な実施態様において、本方法は、
アンカーノードによって、MMEによって送信されたNon−UE Associatedメッセージを受信し、サービングノードとアンカーノードとの間の制御プレーンインターフェースを介してアンカーノードによってNon−UE Associatedメッセージをサービングノードに送信するステップ
をさらに含む。
【００２３】
第3の態様によれば、本発明の実施形態はインターフェース確立装置を提供する。本装置は、
第1の指示情報をアンカーノードに送信するように構成された送信部であって、第1の指示情報は、サービングノードとアンカーノードとの間の第1のインターフェースを確立するように指示するために使用される、送信部、および第1の指示情報に応答してアンカーノードによって送信された応答情報を受信するように構成された受信部、または
アンカーノードによって送信された第1の指示情報を受信するようにさらに構成された受信部であって、第1の指示情報は、第1のインターフェースを確立するように指示するために使用される受信部、および第1の指示情報に応答して応答情報をアンカーノードに送信するようにさらに構成された送信部
を備え、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、本装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００２４】
第1の態様の第1の可能な実施態様において、本装置はさらに処理部を含み、
受信部は、ユーザ端末によって送信されたアップリンクRRCメッセージを受信するようにさらに構成され、アップリンクRRCメッセージは、SRB0で搬送されたRRCメッセージ、SRB1で搬送されたRRCメッセージ、またはSRB2で搬送されたRRCメッセージを含み、処理部は、アップリンクRRCメッセージ内のSRB0を処理するように構成され、または送信部は、第1のインターフェースを介して、アップリンクRRCメッセージ内のSRB1で搬送されたRRCメッセージまたはSRB2で搬送されたRRCメッセージを、処理のためにアンカーノードに送信するようにさらに構成され、および／または、
送信部は、SRB0に搬送されたダウンリンクRRCメッセージを生成し、エアインターフェース接続を介してダウンリンクRRCメッセージをユーザ端末に送信し、または第1のインターフェースを介して、SRB1またはSRB2で搬送されアンカーノードによって送信されたダウンリンクRRCメッセージを受信し、エアインターフェース接続を介してSRB1またはSRB2で搬送されたダウンリンクRRCメッセージをユーザ端末に送信するようにさらに構成されている。
【００２５】
第1の態様または第1の態様の第1の可能な実施態様に関連して、第2の可能な実施態様において、本装置は、
サービングノードに関連するアンカーノードのアンカーノード情報を取得するように構成された取得部
をさらに含む。
【００２６】
第1の態様または第1の態様の第1もしくは第2の可能な実施態様に関連して、第3の可能な実施態様において、アンカーノードとMMEとの間のインターフェース接続を確立するためのインターフェースは、具体的にはS1−MMEインターフェースである。
【００２７】
第1の態様または第1の態様の第1、第2、もしくは第3の可能な実施態様に関連して、第4の可能な実施態様において、取得部は、具体的には、
オペレーション管理メンテナンスOAMシステムを用いてアンカーノード情報を取得し、または
アンカーノードのダウンリンク信号を用いてアンカーノード情報を取得し、ダウンリンク信号は同期信号とシステム情報とを含み、または
アンカーノード情報が本装置に構成されている場合、サービングノードに関連するアンカーノードの構成されたアンカーノード情報を取得する
ように構成されている。
【００２８】
第1の態様または第1の態様の第1、第2、第3、もしくは第4の可能な実施態様に関連して、第5の可能な実施態様において、
受信部は、アンカーノードによって送信され、サポートされる必要がある第1のトラッキングエリアコードTACを受信するようにさらに構成される、または送信部は、サービングノードによってサポートされる第2のTACをアンカーノードに示すようにさらに構成され、
受信部は、第1のインターフェースを介してアンカーノードによって送信されたページングメッセージを受信するようにさらに構成され、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる。
【００２９】
第1の態様または第1の態様の第1、第2、第3、第4、もしくは第5の可能な実施態様に関連して、第6の可能な実施態様において、アンカーノードは基地局である、またはアンカーノードは集中コントローラまたは制御プレーンサーバである。
【００３０】
第1の態様または第1の態様の第1、第2、第3、第4、第5、もしくは第6の可能な実施態様に関連して、第7の可能な実施態様において、
送信部は、サービングノードのサービングセルのコードをアンカーノードに送信するようにさらに構成され、サービングセルのコードは、サービングセルをアンカーノードのサービングセルとして使用するためにアンカーノードによって使用され、アンカーノードの隣接するアンカーノードまたは隣接する基地局に送信される。
【００３１】
第1の態様または第1の態様の第1、第2、第3、第4、第5、第6、もしくは第7の可能な実施態様に関連して、第8の可能な実施態様において、
受信部は、サービングノードとアンカーノードとの間の制御プレーンインターフェースを介してサービングノードによって、アンカーノードによって送信された非UE関連Non−UE Associatedメッセージを受信するようにさらに構成され、Non−UE Associatedメッセージは、MMEからアンカーノードによって受信される。
【００３２】
第1の態様または第1の態様の第1、第2、第3、第4、第5、第6、第7もしくは第8の可能な実施態様に関連して、第9の可能な実施態様において、本装置はサービングノードに配置される。
【００３３】
第4の態様によれば、本発明の実施形態は、インターフェース確立装置を提供する。本装置は、
サービングノードによって送信された第1の指示メッセージを受信するように構成された受信部であって、第1の指示情報がサービングノードとアンカーノードとの間の第1のインターフェースを確立するように指示するために使用される、受信部、および第1の指示メッセージに応答して応答情報を本装置に送信するように構成された送信部、または
第1の指示情報をサービングノードに送信するようにさらに構成された送信部であって、第1の指示情報は、第1のインターフェースを確立するように指示するために使用される、送信部、および、第1の指示情報に応答してサービングノードによって送信された応答情報を受信するようにさらに構成された受信部
を含み、
第1のインターフェースは、サービングノードとアンカーノードとの間の少なくとも制御プレーンインターフェースを含み、制御プレーンインターフェースは、ユーザ端末のRRCメッセージを伝送し、本装置とMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のSRB0で搬送されたRRCメッセージは、サービングノードによってサービスされる。
【００３４】
第1の態様の第1の可能な実施態様において、
受信部は、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理するようにさらに構成され、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含み、および／または
送信部は、SRB1またはSRB2に搬送されたダウンリンクRRCメッセージを、第1のインターフェースを介してサービングノードに送信するようにさらに構成され、そのためサービングノードは、SRB1またはSRB2で搬送されたダウンリンクRRCメッセージをエアインターフェース接続を介してユーザ端末に送信し、ダウンリンクRRCメッセージは、SRB1に搬送されたRRCメッセージまたはSRB2に搬送されたRRCメッセージを含む。
【００３５】
第1の態様または第1の態様の第1の可能な実施態様に関連して、第2の可能な実施態様において、本装置は、
アンカーノードに関連するサービングノードのサービングノード情報を取得するように構成された取得部
をさらに含む。
【００３６】
第1の態様または第1の態様の第1もしくは第2の可能な実施態様に関連して、第3の可能な実施態様において、本装置とMMEとの間のインターフェース接続を確立するためのインターフェースは、具体的にはS1−MMEインターフェースである。
【００３７】
第1の態様または第1の態様の第1、第2もしくは第3の可能な実施態様に関連して、第4の可能な実施態様において、取得部は、具体的には、
OAMを用いてサービングノード情報を取得する、または
サービングノード情報が本装置に構成されている場合、アンカーノードに関連するサービングノードの構成されたサービングノード情報を取得する
ように構成されている。
【００３８】
第1の態様または第1の態様の第1、第2、第3、もしくは第4の可能な実施態様に関連して、第5の可能な実施態様において、
送信部は、サービングノードによってサポートされる必要がある第1のTACをサービングノードに送信するようにさらに構成され、または受信部は、サービングノードによってサポートされ、サービングノードによって示される第2のTACを受信するようにさらに構成され、
受信部は、本装置とMMEとの間に確立されたインターフェースを介して、MMEによって送信されたページングメッセージを受信するようにさらに構成され、
送信部は、第1のTACまたは第2のTACがページングメッセージに含まれている場合、第1のインターフェースを介して、ページングメッセージをサービングノードに送信するようにさらに構成されている。
【００３９】
第1の態様または第1の態様の第1、第2、第3、第4、もしくは第5の可能な実施態様に関連して、第6の可能な実施態様において、本装置は基地局である、または集中コントローラまたは制御プレーンサーバである。
【００４０】
第1の態様または第1の態様の第1、第2、第3、第4、第5、もしくは第6の可能な実施態様に関連して、第7の可能な実施態様において、
受信部は、サービングノードによって送信されるサービングノードのサービングセルのコードを受信するようにさらに構成され、サービングセルのコードは、サービングセルをサービングセルとして使用するためにアンカーノードによって使用され、隣接するアンカーノードまたは隣接する基地局に送信される。
【００４１】
第1の態様または第1の態様の第1、第2、第3、第4、第5、第6、もしくは第7の可能な実施態様に関連して、第8の可能な実施態様において、
受信部は、MMEによって送信されたNon−UE Associatedメッセージを受信し、サービングノードとアンカーノードとの間の制御プレーンインターフェースを介してNon−UE Associatedメッセージをサービングノードに送信するようにさらに構成される。
【００４２】
第1の態様または第1の態様の第1、第2、第3、第4、第5、第6、第7もしくは第8の可能な実施態様に関連して、第9の可能な実施態様において、本装置はアンカーノードに配置される。
【００４３】
第5の態様によれば、本発明の実施形態は、インターフェース確立装置を提供する。本装置は、
ネットワークインターフェースと、
プロセッサと、
メモリと、
メモリに物理的に格納されたアプリケーションプログラムであって、アプリケーションプログラムは、プロセッサおよびシステムが以下のプロセス：
第1の指示情報をアンカーノードに送信し、第1の指示情報に応答してアンカーノードによって送信された応答情報を受信し、第1の指示情報は、サービングノードとアンカーノードとの間の第1のインターフェースを確立するよう指示するために使用される、または
アンカーノードによって送信された第1の指示情報を受信し、第1の指示情報に応答して応答情報をアンカーノードに送信し、第1の指示情報は、第1のインターフェースを確立するように指示するために使用される、
プロセスの指示を実行することを可能にし得る指示を含む、アプリケーションプログラムと
を含み、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、本装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００４４】
第6の態様によれば、本発明の実施形態は、インターフェース確立装置を提供する。本装置は、
ネットワークインターフェースと、
プロセッサと、
メモリと、
メモリに物理的に格納されたアプリケーションプログラムであって、アプリケーションプログラムは、プロセッサおよびシステムが以下のプロセス：
サービングノードによって送信された第1の指示メッセージを受信し、第1の指示メッセージに応答して応答情報を本装置に送信し、第1の指示情報は、サービングノードとアンカーノードとの間の第1のインターフェースを確立するよう指示するために使用される、または
第1の指示情報をサービングノード送信し、第1の指示情報に応答してサービングノードによって送信された応答情報をアンカーノードに受信し、第1の指示情報は、第1のインターフェースを確立するように指示するために使用される、
プロセスの指示を実行することを可能にし得る指示を含む、アプリケーションプログラムと、
を含み、
第1のインターフェースは、サービングノードとアンカーノードとの間の少なくとも制御プレーンインターフェースを含み、制御プレーンインターフェースは、ユーザ端末のRRCメッセージを伝送し、本装置とMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のSRB0で搬送されたRRCメッセージは、サービングノードによってサービスされる。
【００４５】
本発明の実施形態で提供されるインターフェース確立方法によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【図面の簡単な説明】
【００４６】
【図１】本発明の実施形態に係るネットワークアーキテクチャの概略図である。
【図２】本発明の実施形態1に係るインターフェース確立方法のフローチャートである。
【図３Ａ】本発明の実施形態2に係るインターフェース確立方法の詳細なフローチャートである。
【図３Ｂ】本発明の実施形態2に係るインターフェース確立方法の詳細なフローチャートである。
【図４】本発明の実施形態3に係るインターフェース確立方法のフローチャートである。
【図５Ａ】本発明の実施形態4に係るインターフェース確立方法の詳細なフローチャートである。
【図５Ｂ】本発明の実施形態4に係るインターフェース確立方法の詳細なフローチャートである。
【図６Ａ】本発明の実施形態5に係るインターフェース確立方法のシグナリング図である。
【図６Ｂ】本発明の実施形態5に係るインターフェース確立方法のシグナリング図である。
【図７】本発明の実施形態6に係るインターフェース確立装置の概略図である。
【図８】本発明の実施形態7に係るインターフェース確立装置の概略図である。
【図９】本発明の実施形態8によるインターフェース確立装置の概略図である。
【図１０】本発明の実施形態9に係るインターフェース確立装置の概略図である。
【発明を実施するための形態】
【００４７】
本発明の実施形態の目的、技術的解決策、および利点をより明確にするために、以下で、本発明の実施形態における添付の図面に関連して本発明の実施形態における技術的解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００４８】
本発明の実施形態では、図1に示すネットワークアーキテクチャの概略図を参照すると、サービングノードとMMEとの間に直接接続は確立されない。代わりに、サービングノードはアンカーノードに接続され、アンカーノードはMMEに接続され、そのためサービングノードはアンカーノードを用いてMMEに接続される。本発明の実施形態では、コアネットワークのMMEとアンカーノードとの間、およびコアネットワークのSGWとアンカーノードとの間にそれぞれS1−C制御プレーンインターフェースとS1−Uユーザプレーンインターフェースが確立される。アンカーノードは、インターフェースを確立するために信号トンネル（backhaul）を介してサービングノードに接続され、このインターフェースは、具体的には拡張X2インターフェースであってもよく、または別のタイプのインターフェースであってもよい。UEとサービングノードとの間で無線リンク接続が確立される。サービングノードは、RRCメッセージを独立して処理しないが、アンカーノードとサービングノードは、RRCメッセージを共同して処理する。RRCメッセージのタイプに応じて、アンカーノードはいくつかのRRCメッセージを処理し、サービングノードは残りのRRCメッセージを処理し、そのためRRC機能が2つのノードに分割される。UEのための環境が作成され、そのためRRC接続が第1のアンカーで終了できる。
【００４９】
本発明の実施形態で提供されるインターフェース確立方法は、分割されたRRC機能を有するネットワークアーキテクチャに基づいている。アンカーノードおよびサービングノードは、UEのRRCメッセージを共同して処理する。アンカーノードは常にMMEに接続されているので、サービングノードとアンカーノードとの間のインターフェースを確立することにより、端末とサービングノードとの間の無線接続はアンカーノードで終了することができる。端末が同じアンカーノードのサービングノードを変更した場合、端末のインターフェースを変更する必要がなくなり、それにより、ハンドオーバによるコアネットワークのシグナリング負荷を低減し、ページングメッセージとNon−UE Associatedメッセージの量を低減し、コアネットワークのシグナリング負荷をさらに低減する。したがって、UEのサービングノードがある基地局から別の基地局に切り替わるとき、MMEは、MMEによって管理されるすべての基地局にページングメッセージを送信する必要はなく、それによりネットワークにおけるシグナリング負荷を効果的に低減する。
【００５０】
実施形態1
以下において、本発明の実施形態1で提供されるインターフェース確立方法について詳述するための例として、図2を用いる。本方法は、分割されたRRC機能を有するネットワークアーキテクチャに基づいている。図2は、本発明のこの実施形態に係るインターフェース確立方法のフローチャートである。本発明の実施形態1を実施するエンティティは、サービングノードであってもよい。図2に示すように、本方法は以下のステップを含む。
【００５１】
ステップS201：サービングノードは、第1の指示情報をアンカーノードに送信し、第1の指示情報は、サービングノードとアンカーノードとの間の第1のインターフェースを確立するように指示するために使用される。
【００５２】
アンカーノードは基地局である、またはアンカーノードは集中コントローラまたは制御プレーンサーバである。第1の指示情報は、サービングノードとアンカーノードとの間に第1のインターフェースを確立するように指示するために使用される。第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、サービングノードとユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００５３】
ユーザ端末のRRCメッセージ内のSRB1またはSRB2に対応するRRCメッセージは、アンカーノードによってサービスされ、ユーザ端末のSRB0に対応するRRCメッセージは、サービングノードによってサービスされる。すなわち、サービスすることは、アップリンクRRCメッセージを処理すること、またはダウンリンクRRCメッセージを生成することである。
【００５４】
第1のインターフェースは、X2インターフェースまたはX3インターフェースである。X2インターフェースは、1つの基地局と別の基地局との間のインターフェースであり、基地局eNB間の相互接続を実施する。X2インターフェースは、X2ユーザプレーンとX2制御プレーンに分割される。X2インターフェースのユーザプレーンは、eNB間のユーザデータ伝送機能を提供する。
【００５５】
具体的には、アンカーノードとコアネットワークのMMEとの間にS1−C制御プレーンが確立され、アンカーノードとサービングゲートウェイ（SGW）との間にS1−Uユーザプレーンインターフェースが確立される。ここでサービングノードは、コアネットワークとのインターフェースを確立する必要はない。
【００５６】
SRB1 RRCは接続確立完了の時点のUEのRRCメッセージであり、SRB2 RRCは接続確立完了後のUEのRRCメッセージである。
【００５７】
無線リソース制御（Radio Resource Control、RRC）機能は、SRB0、SRB1、SRB2のRRCメッセージを2つのノードに処理する機能を分割する機能である。SRB0はサービングノードによって処理され、SRB1およびSRB2はアンカーノードによって処理される。2つのノードは、インターフェース、好ましくはX2インターフェースを介して接続される。
【００５８】
好ましくは、サービングノードによって、第1の指示情報をアンカーノードに送信するステップの前に、本方法は、サービングノードによって、サービングノードに関連するアンカーノードのアンカーノード情報を取得するステップをさらに含む。
【００５９】
任意選択的に、サービングノードによって、サービングノードに関連するアンカーノードのアンカーノード情報を取得するステップは、具体的には、
サービングノードによって、オペレーション管理メンテナンスOAMシステムを用いてアンカーノード情報を取得するステップ、または
サービングノードによって、アンカーノードのダウンリンク信号を用いてアンカーノード情報を取得するステップであって、ダウンリンク信号は、同期信号およびシステム情報を含む、ステップ、または
サービングノードにアンカーノード情報が構成されている場合、サービングノードに関連するアンカーノードの構成されたアンカーノード情報を取得するステップ
を含む。
【００６０】
具体的には、アンカーノード情報は、設定サーバを用いてサービングノードに構成される。ここでの設定サーバは、オペレーション管理およびメンテナンス（operation administration and maintenance、OAM）システムであってもよい。
【００６１】
あるいは、アンカーノードが基地局である場合、基地局のダウンリンク信号をプロービングする方法を使用することによって、サービングノードは、アンカーノードのダウンリンク信号をプローブしてアンカーノード情報を取得する。ダウンリンク信号は、同期信号およびシステム情報を含む。
【００６２】
あるいは、アンカーノード情報は、サービングノードが配置されたときにサービングノードに構成される。
【００６３】
ステップS202：サービングノードは、第1の指示情報に応答して、アンカーノードによって送信された応答情報を受信する。
【００６４】
サービングノードは、アンカーノードによって送信された応答情報を受信した後、サービングノードとアンカーノードとの間の第1のインターフェースの確立の完了を示す。
【００６５】
アンカーノードは基地局である、またはアンカーノードは集中コントローラまたは制御プレーンサーバである。
【００６６】
サービングノードは、スケジューリング能力を有する無線トランシーバ機能エンティティ、例えば、ロングタームエボリューション（Long Term Evolution、LTE）システムにおけるeNodeB eNBである。
【００６７】
アンカーノード情報は、少なくともアンカーノードの識別子、好ましくはeNodeB識別子eNB IDを含む。
【００６８】
第1のインターフェースX2インターフェースは、並列関係にある2つの基地局間の従来の通信には使用されないが、マスター−スレーブ関係にある2つの基地局間の通信に使用される。すなわち、ユーザ端末（User Equipment、UE）のSRB1およびSRB2の大部分はアンカーノードで終了し、少数はサービングノードで終了する。
【００６９】
本発明のこの実施形態では、ステップS101およびS102は、以下の任意の解決策に置き換えられることができる。
【００７０】
任意選択的に、サービングノードは、アンカーノードによって送信された第1の指示情報を受信し、サービングノードは、第1の指示情報に応答して、応答情報をアンカーノードに送信し、第1の指示情報は、第1のインターフェースを確立するように指示するために使用される。
【００７１】
任意選択的に、アンカーノードとMMEとの間のインターフェース接続を確立するためのインターフェースは、具体的にはS1−MMEインターフェースである。
【００７２】
好ましくは、第1のインターフェースの確立が完了した後、本方法は、
サービングノードによって、ユーザ端末によって送信されたアップリンクRRCメッセージを受信するステップであって、アップリンクRRCメッセージは、SRB0で搬送されたRRCメッセージ、SRB1で搬送されたRRCメッセージ、またはSRB2で搬送されたRRCメッセージを含む、ステップ、サービングノードによって、アップリンクRRCメッセージ内のSRB0を処理する、もしくは、第1のインターフェースを介して、アップリンクRRCメッセージ内のSRB1で搬送されたRRCメッセージまたはSRB2に搬送されたRRCメッセージを、アンカーノードに処理するために送信する、ステップ、および／または、
サービングノードによって、SRB0で搬送されたダウンリンクRRCメッセージを生成し、エアインターフェース接続を介してダウンリンクRRCメッセージを、ユーザ端末に送信する、もしくは第1のインターフェースを介してサービングノードによって、RRC SRB1またはSRB2で搬送され、アンカーノードによって送信されたダウンリンクRRCメッセージを受信し、サービングノードによって、SRB1またはSRB2に搬送されたダウンリンクRRCメッセージをエアインターフェース接続を介してユーザ端末に送信する、ステップ、
をさらに含む。
【００７３】
アップリンクRRCメッセージは、SRB0で搬送されたRRCメッセージ、SRB1で搬送されたRRCメッセージ、またはSRB2で搬送されたRRCメッセージを含む。
【００７４】
具体的には、サービングノードは、SRB0の機能を有し、BCCHによってサービスされるシステムブロードキャストメッセージ、PCCHによってサービスされるセルページングメッセージ、およびCCCHによってサービスされる任意選択的なRRCメッセージを、無線リソース制御（Radio Resource Control、RRC）接続確立プロセスおよびUEのRRC接続再確立プロセスにおいて主に処理する。サービングノードは、システムブロードキャストメッセージを生成して送信し、サービングノードが属するサービングセルのシステムブロードキャストメッセージをアンカーノードに送信するように構成された、排他的RRCプロトコルエンティティを有する。システムブロードキャストメッセージは、MIB、SIB、ページングメッセージ、またはMBMS制御情報であってもよい。サービングノードのプロトコルスタックは、UEのDRB、SRB1、SRB2に対応するRLCプロトコルエンティティと、UEに対応するMACプロトコルエンティティおよび物理レイヤ（Physical Layer、PHY）プロトコルエンティティとを含む。
【００７５】
好ましくは、サービングノードは、アンカーノードによって送信され、サービングノードによってサポートされる必要がある第1のトラッキングエリアコードTACを受信する、またはサービングノードは、サービングノードによってサポートされる第2のTACをアンカーノードに示す。
【００７６】
サービングノードは、第1のインターフェースを介してアンカーノードによって送信されたページングメッセージを受信し、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる。
【００７７】
TACはトラッキングエリアコード（TA code、TAC）である。第1のインターフェースを確立する際の応答情報は、サービングノードによってサポートされる必要がある第1のTACを含む、または第1の指示メッセージは、サービングノードによってサポートされ得る第2のTACを含む。
【００７８】
好ましくは、サービングノードは、サービングノードのサービングセルのコードをアンカーノードに送信し、サービングセルのコードは、サービングセルをアンカーノードのサービングセルとして使用するためにアンカーノードによって使用され、アンカーノードの隣接するアンカーノードまたは隣接する基地局に送信される。
【００７９】
具体的には、今後、隣接するアンカーノードまたは隣接するeNBから要求メッセージを受信するために、アンカーノードは、サービングセルをローカルサービングセルとして使用し、システムブロードキャストメッセージを隣接するアンカーノードまたはアンカーノードの隣接する基地局に転送する。
【００８０】
好ましくは、サービングノードは、サービングノードとアンカーノードとの間の制御プレーンインターフェースを介して、アンカーノードによって送信された非UE関連Non−UE Associatedメッセージを受信し、Non−UE Associated messageメッセージは、MMEからアンカーノードによって受信される。
【００８１】
具体的には、サービングノードがページングメッセージおよび別のNon−UE Associated（非UE関連）メッセージを受信した後、サービングノードのRRCプロトコルエンティティはメッセージを処理する。
【００８２】
本発明のこの実施形態で提供されるインターフェース確立方法によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【００８３】
実施形態2
図3Aおよび図3Bは、本発明の実施形態2に係るインターフェース確立方法の詳細なフローチャートである。本発明の実施形態2を実施するエンティティは、サービングノードであってもよい。図3Aおよび図3Bに示すように、本方法は、以下のステップを含む。
【００８４】
ステップS301：サービングノードは、サービングノードに関連するアンカーノードのアンカーノード情報を取得する。
【００８５】
サービングノードによって、サービングノードに関連するアンカーノードのアンカーノード情報を取得するステップは、具体的には、サービングノードによって、オペレーション管理メンテナンスOAMシステムを用いてアンカーノード情報を取得するステップ、または、サービングノードによって、アンカーノードのダウンリンク信号を用いてアンカーノード情報を取得するステップであって、ダウンリンク信号は、同期信号およびシステム情報を含む、ステップ、またはサービングノードにアンカーノード情報が構成されている場合、サービングノードに関連するアンカーノードの構成されたアンカーノード情報を取得するステップを含む。
【００８６】
ステップS302：サービングノードは、第1の指示情報をアンカーノードに送信する。
【００８７】
アンカーノードは基地局である、またはアンカーノードは集中コントローラまたは制御プレーンサーバである。
【００８８】
第1の指示情報は、サービングノードとアンカーノードとの間の第1のインターフェースを確立するように指示するために使用される。
【００８９】
ステップS303：サービングノードは、第1の指示情報に応答して、アンカーノードによって送信された応答情報を受信する。
【００９０】
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、サービングノードとユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００９１】
アンカーノードとMMEとの間のインターフェース接続を確立するためのインターフェースは、具体的にはS1−MMEインターフェースである。
【００９２】
本発明のこの実施形態では、ステップS302およびS303は、以下の任意の解決策に置き換られることができる。
【００９３】
任意選択的に、サービングノードは、アンカーノードによって送信された第1の指示情報を受信し、サービングノードは、第1の指示情報に応答して、応答情報をアンカーノードに送信し、第1の指示情報は、第1のインターフェースを確立するように指示するために使用される。
【００９４】
ステップS304：サービングノードは、ユーザ端末によって送信されたアップリンクRRCメッセージを受信し、アップリンクRRCメッセージ内のSRB0を処理する。
【００９５】
アップリンクRRCメッセージは、SRB0で搬送されたRRCメッセージ、SRB1で搬送されたRRCメッセージ、またはSRB2で搬送されたRRCメッセージを含む。
【００９６】
ステップS305：第1のインターフェースを介して、アップリンクRRCメッセージ内のSRB1で搬送されたRRCメッセージまたはSRB2で搬送されたRRCメッセージを、アンカーノードに処理するために送信する。
【００９７】
ステップS306：サービングノードは、SRB0に搬送されたダウンリンクRRCメッセージを生成し、エアインターフェース接続を介してダウンリンクRRCメッセージをユーザ端末に送信する。
【００９８】
ステップS307：サービングノードは、第1のインターフェースを介して、SRB1またはSRB2で搬送されアンカーノードによって送信されたダウンリンクRRCメッセージを受信し、サービングノードは、エアインターフェース接続を介して、SRB1またはSRB2で搬送されたダウンリンクRRCメッセージをユーザ端末に送信する。
【００９９】
本発明の実施形態2では、ステップS306およびS307とステップS304およびS305との間に明確な順序はなく、すなわち、ステップS306およびS307は、ステップS304およびS305の前に行われてもよく、またはステップS306およびS307もしくは、ステップS304およびS305のいずれかが行われてもよい。
【０１００】
ステップS308：サービングノードは、アンカーノードによって送信されサービングノードによってサポートされる必要がある第1のトラッキングエリアコードTACを受信する。
【０１０１】
任意選択的に、サービングノードは、サービングノードによってサポートされる第2のTACをアンカーノードに示す。
【０１０２】
ステップS309：サービングノードは、第1のインターフェースを介して、アンカーノードによって送信されたページングメッセージを受信する。
【０１０３】
ページングメッセージは、アンカーノードとモビリティ管理エンティティとの間に確立されたインターフェースを介してMMEからアンカーノードによって受信され、第1のTACまたは第2のTACは、MMEによって送信されるページングメッセージに含まれる。
【０１０４】
ステップS310：サービングノードは、サービングノードのサービングセルのコードをアンカーノードに送信する。
【０１０５】
サービングセルのコードは、サービングセルをアンカーノードのサービングセルとして使用するためにアンカーノードによって使用され、アンカーノードの隣接するアンカーノードまたは隣接する基地局に送信される。
【０１０６】
ステップS311：サービングノードは、サービングノードとアンカーノードとの間の制御プレーンインターフェースを介して、アンカーノードによって送信された非UE関連Non−UE Associatedメッセージを受信する。
【０１０７】
Non−UE Associatedメッセージは、MMEからアンカーノードによって受信される。
【０１０８】
本発明のこの実施形態で提供されるインターフェース確立方法によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。アンカーノードがMMEによって送信されたページングメッセージを受信し、第1のTACまたは第2のTACがページングメッセージに含まれる場合、サービングノードは、アンカーノードによって送信されたページングメッセージを直接受信し、それにより、ページングメッセージの量を低減し、コアネットワークのシグナリング負荷をさらに低減する。
【０１０９】
実施形態3
以下において、本発明の実施形態3に係るインターフェース確立方法について詳述するための例として、図4を用いる。図4は本発明の実施形態3に係るインターフェース確立方法のフローチャートである。本発明の実施形態3を実施するエンティティは、アンカーノードであってもよい。図4に示すように、本方法は以下のステップを含む。
【０１１０】
ステップS401：アンカーノードは、サービングノードによって送信された第1の指示メッセージを受信し、第1の指示情報は、サービングノードとアンカーノードとの間の第1のインターフェースを確立するように指示するために使用される。
【０１１１】
第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のシグナリングSRB0で搬送されたRRCメッセージは、サービングノードによってサービスされる。
【０１１２】
第1のインターフェースは、X2インターフェースまたはX3インターフェースである。X2インターフェースは、1つの基地局と別の基地局との間のインターフェースであり、基地局eNB間の相互接続を実施する。X2インターフェースは、X2ユーザプレーンとX2制御プレーンに分割される。X2インターフェースのユーザプレーンは、eNB間のユーザデータ伝送機能を提供する。
【０１１３】
具体的には、アンカーノードとコアネットワークのMMEとの間にS1−C制御プレーンが確立され、アンカーノードとサービングゲートウェイ（SGW）との間にS1−Uユーザプレーンインターフェースが確立される。ここでサービングノードは、コアネットワークとのインターフェースを確立する必要はない。
【０１１４】
SRB1 RRCは接続確立完了の時点のUEのRRCメッセージであり、SRB2 RRCは接続確立完了後のUEのRRCメッセージである。
【０１１５】
無線リソース制御（Radio Resource Control、RRC）機能は、SRB0、SRB1、SRB2のRRCメッセージを2つのノードに処理する機能を分割する機能である。SRB0はサービングノードによって処理され、SRB1およびSRB2はアンカーノードによって処理される。2つのノードは、インターフェース、好ましくはX2インターフェースを介して接続される。
【０１１６】
好ましくは、アンカーノードによって、サービングノードによって送信された第1の指示メッセージを受信するステップの前に、本方法は、
アンカーノードによって、アンカーノードに関連するサービングノードのサービングノード情報を取得するステップ
をさらに含む。
【０１１７】
任意選択的に、アンカーノードによって、アンカーノードに関連するサービングノードのサービングノード情報を取得するステップは、具体的には、
アンカーノードによって、OAMを用いてサービングノード情報を取得するステップ、または
サービングノード情報がアンカーノードに構成されている場合、アンカーノードに関連するサービングノードの構成されたサービングノード情報を取得するステップ
を含む。
【０１１８】
ステップS402：アンカーノードは、第1の指示メッセージに応答して応答情報をアンカーノードに送信する。
【０１１９】
アンカーノードは基地局である、またはアンカーノードは集中コントローラまたは制御プレーンサーバである。
【０１２０】
サービングノードは、スケジューリング能力を有する無線トランシーバ機能エンティティ、例えば、ロングタームエボリューション（Long Term Evolution、LTE）システムにおけるeNodeB eNBである。
【０１２１】
アンカーノード情報は、少なくともアンカーノードの識別子、好ましくはeNodeB識別子eNB IDを含む。
【０１２２】
第1のインターフェースX2インターフェースは、並列関係にある2つの基地局間の従来の通信には使用されないが、マスター−スレーブ関係にある2つの基地局間の通信に使用される。すなわち、ユーザ端末（User Equipment、UE）のSRB1およびSRB2の大部分はアンカーノードで終了し、少数はサービングノードで終了する。
【０１２３】
本発明のこの実施形態では、ステップS401およびS402は、以下の任意の解決策に置き換えられることができる。
【０１２４】
任意選択的に、アンカーノードは、第1の指示情報をサービングノードに送信し、アンカーノードは、第1の指示情報に応答して、サービングノードによって送信された応答情報を受信し、第1の指示情報は、第1のインターフェースを確立するように指示するために使用される。
【０１２５】
好ましくは、アンカーノードは、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理し、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含み、および／または
アンカーノードは、SRB1またはSRB2に搬送されたダウンリンクRRCメッセージを、第1のインターフェースを介してサービングノードに送信し、そのためサービングノードは、SRB1またはSRB2で搬送されたダウンリンクRRCメッセージをエアインターフェース接続を介してユーザ端末に送信し、ダウンリンクRRCメッセージは、SRB1に搬送されたRRCメッセージまたはSRB2に搬送されたRRCメッセージを含む。
【０１２６】
具体的には、サービングノードは、SRB0の機能を有し、BCCHによってサービスされるシステムブロードキャストメッセージ、PCCHによってサービスされるセルページングメッセージ、およびCCCHによってサービスされる任意選択的なRRCメッセージを、無線リソース制御（Radio Resource Control、RRC）接続確立プロセスおよびUEのRRC接続再確立プロセスにおいて主に処理する。サービングノードは、システムブロードキャストメッセージを生成して送信し、サービングノードが属するサービングセルのシステムブロードキャストメッセージをアンカーノードに送信するように構成された、排他的RRCプロトコルエンティティを有する。システムブロードキャストメッセージは、MIB、SIB、ページングメッセージ、またはMBMS制御情報であってもよい。サービングノードのプロトコルスタックは、UEのDRB、SRB1、SRB2に対応するRLCプロトコルエンティティと、UEに対応するMACプロトコルエンティティおよび物理レイヤ（Physical Layer、PHY）プロトコルエンティティとを含む。
【０１２７】
好ましくは、アンカーノードは、サービングノードによってサポートされる必要がある第1のTACをサービングノードに送信する、またはアンカーノードは、サービングノードによってサポートされ、サービングノードによって示される第2のTACを受信し、
アンカーノードは、アンカーノードとMMEとの間に確立されたインターフェースを介して、MMEによって送信されたページングメッセージを受信する。
【０１２８】
第1のTACまたは第2のTACがページングメッセージに含まれる場合、アンカーノードによって、第1のインターフェースを介してページングメッセージをサービングノードに送信する。
【０１２９】
TACはトラッキングエリアコード（TA code、TAC）である。第1のインターフェースを確立する際の応答情報は、サービングノードによってサポートされる必要がある第1のTACを含む、または第1の指示メッセージは、サービングノードによってサポートされ得る第2のTACを含む。
【０１３０】
好ましくは、サービングノードによって送信されるサービングノードのサービングセルのコードが受信され、サービングセルのコードはサービングセルをサービングセルとして使用するためにアンカーノードによって使用され、隣接するアンカーノードまたは隣接する基地局に送信される。
【０１３１】
具体的には、今後、隣接するアンカーノードまたは隣接するeNBから要求メッセージを受信するために、アンカーノードは、サービングセルをローカルサービングセルとして使用し、システムブロードキャストメッセージを隣接するアンカーノードまたはアンカーノードの隣接する基地局に転送する。
【０１３２】
好ましくは、アンカーノードは、MMEによって送信されたNon−UE Associatedメッセージを受信し、アンカーノードは、サービングノードとアンカーノードとの間の制御プレーンインターフェースを介してNon−UE Associatedメッセージをサービングノードに送信する。
【０１３３】
具体的には、サービングノードがページングメッセージおよび別のNon−UE Associated（非UE関連）メッセージを受信した後、サービングノードのRRCプロトコルエンティティはメッセージを処理する。
【０１３４】
本発明のこの実施形態で提供されるインターフェース確立方法によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０１３５】
実施形態4
図5Aおよび図5Bは、本発明のこの実施形態に係るインターフェース確立方法の詳細なフローチャートである。本発明の実施形態4を実施するエンティティは、アンカーノードであってもよい。図5Aおよび図5Bに示すように、本方法は以下のステップを含む。
【０１３６】
ステップS501：アンカーノードは、アンカーノードに関連するサービングノードのサービングノード情報を取得する。
【０１３７】
アンカーノードが、アンカーノードに関連するサービングノードのサービングノード情報を取得するというステップは、具体的には、アンカーノードによって、OAMを用いてサービングノード情報を取得するステップ、またはサービングノード情報がアンカーノードに構成されている場合、アンカーノードに関連するサービングノードの構成されたサービングノード情報を取得するステップを含む。
【０１３８】
ステップS502：アンカーノードは、サービングノードによって送信された第1の指示メッセージを受信する。
【０１３９】
アンカーノードは基地局である、またはアンカーノードは集中コントローラまたは制御プレーンサーバである。
【０１４０】
第1の指示情報は、サービングノードとアンカーノードとの間の第1のインターフェースを確立するように指示するために使用される。
【０１４１】
ステップS503：アンカーノードは、第1の指示メッセージに応答して応答情報をアンカーノードに送信する。
【０１４２】
第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のシグナリングSRB0で搬送されたRRCメッセージは、サービングノードによってサービスされる。
【０１４３】
アンカーノードとMMEとの間のインターフェース接続を確立するためのインターフェースは、具体的にはS1−MMEインターフェースである。
【０１４４】
本発明のこの実施形態では、ステップS502およびS503は、以下の任意の解決策に置き換えられることができる。
【０１４５】
任意選択的に、アンカーノードは、第1の指示情報をサービングノードに送信し、アンカーノードは、第1の指示情報に応答して、サービングノードによって送信された応答情報を受信し、第1の指示情報は、第1のインターフェースを確立するように指示するために使用される。
【０１４６】
ステップS504：アンカーノードは、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理する。
【０１４７】
アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含む。
【０１４８】
ステップS505：アンカーノードは、第1のインターフェースを介して、SRB1またはSRB2で搬送されたダウンリンクRRCメッセージを、サービングノードに送信する。
【０１４９】
サービングノードは、SRB1またはSRB2に搬送されたダウンリンクRRCメッセージをエアインターフェース接続を介してユーザ端末に送信する。ダウンリンクRRCメッセージは、SRB1に搬送されたRRCメッセージまたはSRB2に搬送されたRRCメッセージを含む。
【０１５０】
本発明の実施形態3では、ステップS504とステップS505との間に明確な順序はなく、すなわち、ステップS504はステップS505の前に行われてもよく、またはステップS504もしくはステップS505のいずれかが行われてもよい。
【０１５１】
ステップS506：アンカーノードは、サービングノードによってサポートされる必要がある第1のTACをサービングノードに送信する。
【０１５２】
任意選択的に、アンカーノードは、サービングノードによってサポートされ、サービングノードによって示される第2のTACを受信する。
【０１５３】
ステップS507：アンカーノードは、アンカーノードとMMEとの間に確立されたインターフェースを介して、MMEによって送信されたページングメッセージを受信する。
【０１５４】
ページングメッセージは、MMEからS1−MMEインターフェースを介してアンカーノードによって受信される。
【０１５５】
ステップS508：第1のTACまたは第2のTACがページングメッセージに含まれる場合、アンカーノードは、第1のインターフェースを介してページングメッセージをサービングノードに送信する。
【０１５６】
ステップS509：サービングノードによって送信されるサービングノードのサービングセルのコードを受信する。
【０１５７】
サービングセルのコードは、サービングセルをサービングセルとして使用するためにアンカーノードによって使用され、隣接するアンカーノードまたは隣接する基地局に送信される。
【０１５８】
ステップS510：アンカーノードは、MMEによって送信されたNon−UE Associatedメッセージを受信し、アンカーノードは、サービングノードとアンカーノードとの間の制御プレーンインターフェースを介してNon−UE Associatedメッセージをサービングノードに送信する。
【０１５９】
本発明のこの実施形態で提供されるインターフェース確立方法によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。アンカーノードがMMEによって送信されたページングメッセージを受信し、第1のTACまたは第2のTACがページングメッセージに含まれる場合、サービングノードは、アンカーノードによって送信されたページングメッセージを直接受信し、それにより、ページングメッセージの量を低減し、コアネットワークのシグナリング負荷をさらに低減する。
【０１６０】
実施形態5
図6Aおよび図6Bは、本発明の実施形態5に係るインターフェース確立方法のシグナリング図である。図6Aおよび図6Bに示すように、以下で本発明の実施形態5で提供されるインターフェース確立方法のシグナリングインターワーキングプロセスを詳述する。本方法は以下のステップを含む。
【０１６１】
ステップS601：サービングノードは、サービングノードに関連するアンカーノードのアンカーノード情報を取得する。
【０１６２】
サービングノードは、サービングノードに関連するアンカーノードのアンカーノード情報をOAMを用いて構成し、またはサービングノードは、基地局のダウンリンク信号を用いてアンカーノード情報を取得し、ダウンリンク信号は、同期信号およびシステム情報を含み、またはアンカーノード情報がサービングノードに構成されている場合、サービングノードは、サービングノードに関連するアンカーノードの構成されたアンカーノード情報を取得する。
【０１６３】
ステップS602：サービングノードは、第1の指示情報をアンカーノードに送信する。
【０１６４】
第1の指示情報は、第1のインターフェースを確立するように指示するために使用される。第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のS1−MMEインターフェース接続を確立し、サービングノードとユーザ端末との間のエアインターフェース接続を確立する、ために少なくとも使用され、ユーザ端末のRRCメッセージ内のSRB1またはSRB2に対応するRRCメッセージは、アンカーノードによってサービスされ、ユーザ端末のシグナリングSRB0に対応するRRCメッセージは、サービングノードによってサービスされる。
【０１６５】
ステップS603：サービングノードは、第1の指示情報に応答して、アンカーノードによって送信された応答情報を受信する。
【０１６６】
ステップS604：サービングノードは、ユーザ端末によって送信されたアップリンクRRCメッセージを受信する。
【０１６７】
アップリンクRRCメッセージは、SRB0で搬送されたRRCメッセージ、SRB1で搬送されたRRCメッセージ、またはSRB2で搬送されたRRCメッセージを含む。
【０１６８】
ステップS605：サービングノードは、アップリンクRRCメッセージ内のSRB0を処理する。
【０１６９】
ステップS606：サービングノードは、第1のインターフェースを介して、アップリンクRRCメッセージ内のSRB1で搬送されたRRCメッセージまたはSRB2で搬送されたRRCメッセージを、処理のためにアンカーノードに送信する。
【０１７０】
ステップS607：アンカーノードは、第1のインターフェースを介して、アップリンクRRCメッセージ内のSRB1で搬送されたRRCメッセージまたはSRB2で搬送されたRRCメッセージを受信し、RRCメッセージを処理する。
【０１７１】
ステップS608：サービングノードは、SRB0で搬送されたダウンリンクRRCメッセージを生成する。
【０１７２】
ステップS609：サービングノードは、エアインターフェース接続を介して、SRB0で搬送されたその生成されたダウンリンクRRCメッセージをユーザ端末に送信する。
【０１７３】
ステップS610：アンカーノードは、第1のインターフェースを介して、SRB1またはSRB2で搬送されたダウンリンクRRCメッセージを、サービングノードに送信する。
【０１７４】
ステップS611：サービングノードは、第1のインターフェースを介して、SRB1またはSRB2で搬送されアンカーノードによって送信されたダウンリンクRRCメッセージを受信し、サービングノードは、エアインターフェース接続を介して、SRB1またはSRB2で搬送されたダウンリンクRRCメッセージをユーザ端末に送信する。
【０１７５】
ステップS612：アンカーノードは、サービングノードによってサポートされる必要がある第1のトラッキングエリアコードTACをサービングノードに送信する。
【０１７６】
任意選択的に、サービングノードは、サービングノードによってサポートされ得る第2のTACをアンカーノードに示す。
【０１７７】
ステップS613：アンカーノードは、S1−MMEインターフェースを介して、MMEによって送信されたページングメッセージを受信する。
【０１７８】
ステップS614：サービングノードは、第1のインターフェースを介して、アンカーノードによって送信されたページングメッセージを受信する。
【０１７９】
ページングメッセージは、MMEからアンカーノードによってS1−MMEインターフェースを介して受信され、第1のTACまたは第2のTACは、MMEによって送信されたページングメッセージに含まれる。
【０１８０】
ステップS615：サービングノードは、サービングノードのサービングセルのコードをアンカーノードに送信する。
【０１８１】
ステップS616：アンカーノードは、サービングノードによって送信されるサービングノードのサービングセルのコードを受信し、アンカーノードは、サービングセルをサービングセルとして使用し、サービングセルのコードを隣接するアンカーノードまたは隣接する基地局に送信する。
【０１８２】
ステップS617：アンカーノードは、MMEによって送信されたNon−UE Associatedメッセージを受信する。
【０１８３】
ステップS618：アンカーノードは、制御プレーンインターフェースを介してNon−UE Associatedメッセージをサービングノードに送信する。
【０１８４】
ステップS619：サービングノードは、ページングメッセージまたはNon−UE Associatedメッセージをユーザ端末に送信する。
【０１８５】
本発明のこの実施形態で提供されるインターフェース確立方法によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。アンカーノードがMMEによって送信されたページングメッセージを受信し、第1のTACまたは第2のTACがページングメッセージに含まれる場合、サービングノードは、アンカーノードによって送信されたページングメッセージを直接受信し、それにより、ページングメッセージの量を低減し、コアネットワークのシグナリング負荷をさらに低減する。
【０１８６】
実施形態6
実施形態1は、サービングノードによって実現されるインターフェース確立方法を説明する。これに対応して、本発明のこの実施形態は、インターフェース確立装置をさらに提供する。図7は、本発明のこの実施形態に係るインターフェース確立装置の概略図である。図7に示すように、インターフェース確立装置は、送信部701と、受信部702とを含む。
【０１８７】
送信部701は、第1の指示情報をアンカーノードに送信するように構成され、第1の指示情報は、サービングノードとアンカーノードとの間の第1のインターフェースを確立するように指示するために使用される。
【０１８８】
受信部702は、第1の指示情報に応答してアンカーノードによって送信された応答情報を受信するように構成されている。
【０１８９】
あるいは、受信部702は、アンカーノードによって送信された第1の指示情報を受信するようにさらに構成され、第1の指示情報は、第1のインターフェースを確立するように指示するために使用され、送信部701は、第1の指示情報に応答して応答情報をアンカーノードに送信するようにさらに構成されている。
【０１９０】
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【０１９１】
任意選択的に、本装置はさらに処理部を含み、
受信部702は、ユーザ端末によって送信されたアップリンクRRCメッセージを受信するようにさらに構成され、アップリンクRRCメッセージは、SRB0で搬送されたRRCメッセージ、SRB1で搬送されたRRCメッセージ、またはSRB2で搬送されたRRCメッセージを含み、処理部は、アップリンクRRCメッセージ内のSRB0を処理するように構成され、または送信部は、第1のインターフェースを介して、アップリンクRRCメッセージ内のSRB1で搬送されたRRCメッセージまたはSRB2で搬送されたRRCメッセージを、処理のためにアンカーノードに送信するようにさらに構成され、および／または、
送信部701は、SRB0に搬送されたダウンリンクRRCメッセージを生成し、エアインターフェース接続を介してダウンリンクRRCメッセージをユーザ端末に送信し、または第1のインターフェースを介して、SRB1またはSRB2で搬送され、アンカーノードによって送信されたダウンリンクRRCメッセージを受信し、エアインターフェース接続を介してSRB1またはSRB2で搬送されたダウンリンクRRCメッセージをユーザ端末に送信するようにさらに構成されている。
【０１９２】
任意選択的に、本装置は、サービングノードに関連するアンカーノードのアンカーノード情報を取得するように構成された取得部703をさらに含む。
【０１９３】
任意選択的に、取得部703は、具体的には、以下のように構成される：
取得部703は、サービングノードによって、オペレーション管理メンテナンスOAMシステムを用いてアンカーノード情報を取得するようにさらに構成し、または、サービングノードによって、サービングノードが、アンカーノードのダウンリンク信号を用いてアンカーノード情報を取得するように構成され、ダウンリンク信号は、同期信号およびシステム情報を含み、または、
構成部704は、サービングノード上のアンカーノード情報を構成するように構成されている。
【０１９４】
任意選択的に、アンカーノードとMMEとの間のインターフェース接続を確立するためのインターフェースは、具体的にはS1−MMEインターフェースである。
【０１９５】
任意選択的に、アンカーノードは基地局である、またはアンカーノードは集中コントローラまたは制御プレーンサーバである。
【０１９６】
任意選択的に、受信部702は、アンカーノードによって送信され、サポートされる必要がある第1のトラッキングエリアコードTACを受信するようにさらに構成される、または送信部は、さらに、サービングノードによってサポートされる第2のTACをアンカーノードに示すようにさらに構成され、
受信部702は、第1のインターフェースを介してアンカーノードによって送信されたページングメッセージを受信するようにさらに構成され、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる。
【０１９７】
任意選択的に、送信部701は、サービングノードのサービングセルのコードをアンカーノードに送信するようにさらに構成され、サービングセルのコードは、サービングセルをアンカーノードのサービングセルとして使用するためにアンカーノードによって使用され、アンカーノードの隣接するアンカーノードまたは隣接する基地局に送信される。
【０１９８】
任意選択的に、受信部702は、サービングノードとアンカーノードとの間の制御プレーンインターフェースを介して、アンカーノードによって送信された非UE関連Non−UE Associatedメッセージを受信するようにさらに構成され、Non−UE AssociatedメッセージはアンカーノードによってMMEから受信される。
【０１９９】
任意選択的に、装置はサービングノードに配置される。
【０２００】
本発明のこの実施形態で提供されるインターフェース確立装置によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２０１】
実施形態7
実施形態3は、アンカーノードによって実現されるインターフェース確立方法を説明する。これに対応して、本発明のこの実施形態は、インターフェース確立装置をさらに提供する。図8は、本発明のこの実施形態に係るインターフェース確立装置の概略図である。図8に示すように、インターフェース確立装置は、受信部801と、送信部802とを含む。
【０２０２】
受信部801は、サービングノードによって送信された第1の指示メッセージを受信するように構成され、第1の指示情報は、サービングノードとアンカーノードとの間の第1のインターフェースを確立するように指示するために使用される。
【０２０３】
送信部802は、第1の指示メッセージに応答して応答情報を装置に送信するように構成されている。
【０２０４】
あるいは、送信部802は、第1の指示情報をサービングノードに送信するようにさらに構成され、第1の指示情報は、第1のインターフェースを確立するように指示するために使用される。
【０２０５】
受信部801は、第1の指示情報に応答してサービングノードによって送信された応答情報を受信するようにさらに構成されている。
【０２０６】
第1のインターフェースは、サービングノードとアンカーノードとの間の少なくとも制御プレーンインターフェースを含み、制御プレーンインターフェースは、ユーザ端末のRRCメッセージを伝送し、装置とMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のシグナリングSRB0で搬送されたRRCメッセージは、サービングノードによってサービスされる。
【０２０７】
任意選択的に、受信部801は、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理するようにさらに構成され、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含み、および／または
送信部802は、SRB1またはSRB2に搬送されたダウンリンクRRCメッセージを、第1のインターフェースを介してサービングノードに送信するようにさらに構成され、そのためサービングノードは、SRB1またはSRB2で搬送されたダウンリンクRRCメッセージをエアインターフェース接続を介してユーザ端末に送信し、ダウンリンクRRCメッセージは、SRB1に搬送されたRRCメッセージまたはSRB2に搬送されたRRCメッセージを含む。
【０２０８】
任意選択的に、本装置は、
アンカーノードに関連するサービングノードのサービングノード情報を取得するように構成された取得部803
をさらに含む。
【０２０９】
任意選択的に、アンカーノードとMMEとの間のインターフェース接続を確立するためのインターフェースは、具体的にはS1−MMEインターフェースである。
【０２１０】
任意選択的に、取得部803は、具体的には、
OAMを用いてサービングノード情報を取得する、または
サービングノード情報が装置に構成されている場合、アンカーノードに関連するサービングノードの構成されたサービングノード情報を取得する
ように構成されている。
【０２１１】
任意選択的に、送信部802は、サービングノードによってサポートされる必要がある第1のTACをサービングノードに送信するようにさらに構成され、または受信部は、サービングノードによってサポートされ、サービングノードによって示される第2のTACを受信するようにさらに構成され、
受信部801は、装置とMMEとの間に確立されたインターフェースを介して、MMEによって送信されたページングメッセージを受信するようにさらに構成され、
送信部802は、第1のTACまたは第2のTACがページングメッセージに含まれている場合、第1のインターフェースを介して、ページングメッセージをサービングノードに送信するようにさらに構成されている。
【０２１２】
任意選択的に、装置は基地局である、または集中コントローラまたは制御プレーンサーバである。
【０２１３】
任意選択的に、受信部801は、サービングノードによって送信されるサービングノードのサービングセルのコードを受信するようにさらに構成され、サービングセルのコードはサービングセルをサービングセルとして使用するためにアンカーノードによって使用され、隣接するアンカーノードまたは隣接する基地局に送信される。
【０２１４】
任意選択的に、受信部801は、MMEによって送信されたNon−UE Associatedメッセージを受信し、サービングノードとアンカーノードとの間の制御プレーンインターフェースを介してNon−UE Associatedメッセージをサービングノードに送信するようにさらに構成されている。
【０２１５】
任意選択的に、装置はアンカーノード内に配置される。
【０２１６】
本発明のこの実施形態で提供されるインターフェース確立装置によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２１７】
実施形態8
実施形態1は、サービングノードによって実現されるインターフェース確立方法を説明する。これに対応して、本発明のこの実施形態は、実施形態1のインターフェース確立方法を実現するためのインターフェース確立装置をさらに提供する。図9は、本発明のこの実施形態に係るインターフェース確立装置の概略図である。図9に示すように、インターフェース確立装置は、ネットワークインターフェース901と、プロセッサ902と、メモリ903とを含む。システムバス904は、ネットワークインターフェース901と、プロセッサ902と、メモリ903とを接続するように構成されている。
【０２１８】
ネットワークインターフェース901は、モノのインターネットの端末、モノのインターネットのアクセスゲートウェイ、ベアラネットワーク、モノのインターネットのサービングゲートウェイ、およびアプリケーションサーバと通信するように構成されている。
【０２１９】
メモリ903は、ハードディスクドライブやフラッシュメモリなどの永続メモリであってもよい。メモリ903にはソフトウェアモジュールとデバイスドライバとが存在する。ソフトウェアモジュールは、本発明の前述の方法を実施することができる任意のタイプの機能モジュールであってもよく、デバイスドライバはネットワークおよびインターフェースドライバであってもよい。
【０２２０】
起動時に、そのようなソフトウェアコンポーネントは、メモリ903にロードされ、プロセッサ902によってアクセスされ、以下の
第1の指示情報をアンカーノードに送信し、第1の指示情報に応答してアンカーノードによって送信された応答情報を受信し、第1の指示情報は、サービングノードとアンカーノードとの間の第1のインターフェースを確立するように指示するために使用される、または
アンカーノードによって送信された第1の指示情報を受信し、第1の指示情報に応答して応答情報をアンカーノードに送信し、第1の指示情報は、第1のインターフェースを確立するように指示するために使用される、
という指示を実行し、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2に搬送されたRRCメッセージは、アンカーノードによってサービスされ、ユーザ端末のシグナリング無線ベアラ0 SRB0に搬送されたRRCメッセージは、サービングノードによってサービスされる。
【０２２１】
本発明のこの実施形態で提供されるインターフェース確立装置によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２２２】
実施形態9
実施形態3は、アンカーノードによって実現されるインターフェース確立方法を説明する。これに対応して、本発明のこの実施形態は、実施形態3のインターフェース確立方法を実現するためのインターフェース確立装置をさらに提供する。図10は、本発明のこの実施形態に係るインターフェース確立装置の概略図である。図10に示すように、インターフェース確立装置は、ネットワークインターフェース1001と、プロセッサ1002と、メモリ1003とを含む。システムバス1004は、ネットワークインターフェース1001と、プロセッサ1002と、メモリ1003とを接続するように構成されている。
【０２２３】
ネットワークインターフェース1001は、モノのインターネットの端末、モノのインターネットのアクセスゲートウェイ、ベアラネットワーク、モノのインターネットのサービングゲートウェイ、およびアプリケーションサーバと通信するように構成されている。
【０２２４】
メモリ1003は、ハードディスクドライブやフラッシュメモリなどの永続メモリであってもよい。メモリ1003にはソフトウェアモジュールとデバイスドライバとが存在する。ソフトウェアモジュールは、本発明の前述の方法を実施することができる任意のタイプの機能モジュールであってもよく、デバイスドライバはネットワークおよびインターフェースドライバであってもよい。
【０２２５】
起動時に、そのようなソフトウェアコンポーネントは、メモリ1003にロードされ、次いで、プロセッサ1002によってアクセスされ、以下の
サービングノードによって送信された第1の指示メッセージをアンカーノードに受信し、第1の指示メッセージに応答して応答情報を装置に送信し、第1の指示情報は、サービングノードとアンカーノードとの間の第1のインターフェースを確立するように指示するために使用される、または
第1の指示情報をサービングノードに送信し、第1の指示情報に応答してサービングノードによって送信された応答情報を受信し、第1の指示情報は、第1のインターフェースを確立するように指示するために使用される、
という指示を実行し、
第1のインターフェースは、サービングノードとアンカーノードとの間の少なくとも制御プレーンインターフェースを含み、制御プレーンインターフェースは、ユーザ端末のRRCメッセージを伝送し、装置とMMEとの間のインターフェース接続を確立し、サービングノードと装置とユーザ端末との間のエアインターフェース接続を確立する、ために少なくとも使用され、ユーザ端末のRRCメッセージ内のSRB1またはSRB2に搬送されたRRCメッセージは、アンカーノードによってサービスされ、ユーザ端末のSRB0に搬送されたRRCメッセージは、サービングノードによってサービスされる。
【０２２６】
本発明のこの実施形態で提供されるインターフェース確立装置によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２２７】
当業者がさらに認めるように、本明細書で開示された実施形態に記載されている例と組み合わせて、ユニットおよびアルゴリズムステップを、電子ハードウェア、コンピュータソフトウェア、またはこれらの組み合わせによって実現することもできる。ハードウェアとソフトウェアとの間の互換性を明確に記述するために、以上では、機能に従って各例の構成およびステップを一般的に記述している。各機能が果たされるのがハードウェアによってか、それともソフトウェアによってかは、技術的解決策の個々の用途および設計上の制約条件に依存する。当業者は、様々な方法を使用して個々の用途ごとに記述された機能を実現することができるが、そうした実施態様は本発明の実施形態の範囲を超えるものとみなすべきではない。
【０２２８】
本明細書で開示された実施形態に記載される方法またはアルゴリズムのステップは、ハードウェア、プロセッサによって実行されるソフトウェアモジュール、またはこれらの組み合わせによって実現することができる。ソフトウェアモジュールは、ランダム・アクセス・メモリ（RAM）、メモリ、読取り専用メモリ（ROM）、電気的プログラム可能ROM、電気的消去可能プログラム可能ROM、レジスタ、ハードディスク、取り外し可能ディスク、CD−ROM、または当分野で公知の任意の他の形の記憶媒体に置くことができる。
【０２２９】
以上の具体的な実施態様においては、本発明の実施形態の目的、技術的解決策、および利益が詳細にさらに説明されている。以上の説明は、単に、本発明の実施形態の具体的実施態様であるにすぎず、本発明の実施形態の保護範囲を限定するためのものではないことを理解すべきである。本発明の実施形態の趣旨および原理を逸脱することなくなされるあらゆる改変、等価の置換、または改善は、本発明の実施形態の保護範囲内に含まれるものである。
【符号の説明】
【０２３０】
701  送信部
702  受信部
703  取得部
704  構成部
801  受信部
802  送信部
803  取得部
901  ネットワークインターフェース
902  プロセッサ
903  メモリ
904  システムバス
1001  ネットワークインターフェース
1002  プロセッサ
1003  メモリ
1004  システムバス
【図１】
2017531970.tif 000003
【図２】
2017531970.tif 000004
【図３Ａ】
2017531970.tif 000005
【図３Ｂ】
2017531970.tif 000006
【図４】
2017531970.tif 000007
【図５Ａ】
2017531970.tif 000008
【図５Ｂ】
2017531970.tif 000009
【図６Ａ】
2017531970.tif 000010
【図６Ｂ】
2017531970.tif 000011
【図７】
2017531970.tif 000012
【図８】
2017531970.tif 000013
【図９】
2017531970.tif 000014
【図１０】
2017531970.tif 000015
【手続補正書】
【提出日】平成29年6月1日(2017.6.1)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に、インターフェース確立方法および装置に関する。
【背景技術】
【０００２】
ユーザ端末（UE、User Equipment）の増加に伴って、既存の無線通信システムは、ユーザの無線通信要件を満たすことができない。したがって、無線通信システムのシステム容量を増大させることが急務である。システム容量は、基地局を追加することによって増加させることができる。典型的なプラクティスは、より多くのピコセルを形成するためにマクロセル内に多数の小さなセルを密集して配置することである。しかしながら、ほとんどのUEは1つの基地局のみに接続されており、この基地局はUEのための無線通信サービスを提供する。説明を容易にするために、UEのための無線通信サービスを提供する基地局は、UEのサービングノードと呼ばれる。
【０００３】
従来技術では、UEがあるセルから別のセルに移動したとき、またはUEがある基地局のサービスエリアから別の基地局のサービスエリアに移動したとき、またはUEが無線リンク障害（RLF、Radio Link Failure）を発見したとき、UEはサービングノードを切り替えることができる。すなわち、UEのサービングノードは、1つの基地局から別の基地局へと変化する。サービングノードは、制御プレーンインターフェースを介してモビリティ管理エンティティ（MME、Mobility Management Entity）に接続され、サービングノードは、ユーザプレーンインターフェースを介してSGW（Serving Gateway、サービングゲートウェイ）に接続されるため、UEのサービングノードが変更された後、サービングノードとMMEとの間のS1制御プレーン接続を更新するために、新しいサービングノードとMMEとの間でシグナリングを送信する必要があり、同時に、サービングノードとSGWとの間のS1ユーザプレーン接続を更新するために、シグナリングもMMEとSGWとの間で送信される必要がある。このようにして、各ハンドオーバプロセスは少なくとも4つのメッセージをもたらす。配置された基地局の密度が増加すると、ハンドオーバが急激に増加し、コアネットワークのシグナリング負荷を急激に増加させる。さらに、各サービングノードは、制御プレーンインターフェースを介してMMEに接続される。MMEがページングメッセージを送信する必要がある場合、MMEは、ページングメッセージに対応するTA（tracking area、トラッキングエリア）内のすべての基地局にページングメッセージを送信し、これはコアネットワークのシグナリング負荷を急激に増加させる。
【発明の概要】
【課題を解決するための手段】
【０００４】
このような点から、本発明の実施形態は、コアネットワークのシグナリング負荷を低減するためのインターフェース確立方法および装置を提供する。
【０００５】
第1の態様によれば、本発明の実施形態は、インターフェース確立方法を提供し、本方法は、
サービングノードによって、第1の指示情報をアンカーノードに送信し、サービングノードによって、第1の指示情報に応答してアンカーノードによって送信された応答情報を受信するステップであって、第1の指示情報は、サービングノードとアンカーノードとの間の第1のインターフェースを確立するように指示するために使用される、ステップ、または
サービングノードによって、アンカーノードによって送信された第1の指示情報を受信し、サービングノードによって、第1の指示情報に応答して応答情報をアンカーノードに送信するステップであって、第1の指示情報は第1のインターフェースを確立するように指示するために使用される、ステップ
を含み、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、サービングノードとユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【０００６】
第1の態様の第1の可能な実施態様において、本方法は、サービングノードによって、ユーザ端末によって送信されたアップリンクRRCメッセージを受信するステップであって、アップリンクRRCメッセージは、SRB0で搬送されたRRCメッセージ、SRB1で搬送されたRRCメッセージ、またはSRB2で搬送されたRRCメッセージを含む、ステップ、サービングノードによって、アップリンクRRCメッセージ内のSRB0を処理する、もしくは、第1のインターフェースを介して、アップリンクRRCメッセージ内のSRB1で搬送されたRRCメッセージまたはSRB2に搬送されたRRCメッセージを、アンカーノードに処理するために送信する、ステップ、および／または、
サービングノードによって、SRB0で搬送されたダウンリンクRRCメッセージを生成し、エアインターフェース接続を介してダウンリンクRRCメッセージを、ユーザ端末に送信する、もしくは第1のインターフェースを介してサービングノードによって、SRB1またはSRB2で搬送され、アンカーノードによって送信されたダウンリンクRRCメッセージを受信し、サービングノードによって、SRB1またはSRB2に搬送されたダウンリンクRRCメッセージをエアインターフェース接続を介してユーザ端末に送信する、ステップ
をさらに含む。
【０００７】
第1の態様または第1の態様の第1の可能な実施態様に関連して、第2の可能な実施態様において、サービングノードによって第1の指示情報をアンカーノードに送信するステップの前に、本方法は、サービングノードによって、サービングノードに関連するアンカーノードのアンカーノード情報を取得するステップをさらに含む。
【０００８】
第1の態様または第1の態様の第1もしくは第2の可能な実施態様に関連して、第3の可能な実施態様において、アンカーノードとMMEとの間のインターフェース接続を確立するためのインターフェースは、具体的にはS1−MMEインターフェースである。
【０００９】
第1の態様または第1の態様の第1、第2、もしくは第3の可能な実施態様に関連して、第4の可能な実施態様において、サービングノードによって、サービングノードに関連するアンカーノードのアンカーノード情報を取得するステップは、具体的には、
サービングノードによって、オペレーション管理メンテナンスOAMシステムを用いてアンカーノード情報を取得するステップ、または
サービングノードによって、アンカーノードのダウンリンク信号を用いてアンカーノード情報を取得するステップであって、ダウンリンク信号は、同期信号およびシステム情報を含む、取得するステップ、または
サービングノードにアンカーノード情報が構成されている場合、サービングノードに関連するアンカーノードの構成されたアンカーノード情報を取得するステップ、
を含む。
【００１０】
第1の態様または第1の態様の第1、第2、第3、もしくは第4の可能な実施態様に関連して、第5の可能な実施態様において、本方法は、サービングノードによって、アンカーノードによって送信され、サービングノードによってサポートされる必要がある第1のトラッキングエリアコードTACを受信する、またはサービングノードによって、サービングノードによってアンカーノードにサポートされる第2のTACを示す、ステップと、
サービングノードによって、第1のインターフェースを介してアンカーノードによって送信されたページングメッセージを受信するステップであって、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる、ステップと
をさらに含む。
【００１１】
第1の態様または第1の態様の第1、第2、第3、第4、もしくは第5の可能な実施態様に関連して、第6の可能な実施態様において、アンカーノードは基地局である、またはアンカーノードは集中コントローラまたは制御プレーンサーバである。
【００１２】
第1の態様または第1の態様の第1、第2、第3、第4、第5、もしくは第6の可能な実施態様に関連して、第7の可能な実施態様において、本方法は、
サービングノードによって、サービングノードのサービングセルのコードをアンカーノードに送信するステップであって、サービングセルのコードは、サービングセルをアンカーノードのサービングセルとして使用するためにアンカーノードによって使用され、アンカーノードの隣接するアンカーノードまたは隣接する基地局に送信される、ステップ
をさらに含む。
【００１３】
第1の態様または第1の態様の第1、第2、第3、第4、第5、第6もしくは第7の可能な実施態様に関連して、第8の可能な実施態様において、本方法は、
サービングノードとアンカーノードとの間の制御プレーンインターフェースを介してサービングノードによって、アンカーノードによって送信された非UE関連Non−UE Associatedメッセージを受信するステップであって、Non−UE Associatedメッセージは、MMEからアンカーノードによって受信される、ステップ
をさらに含む。
【００１４】
第2の態様によれば、本発明の実施形態はインターフェース確立方法を提供する。本方法は、
アンカーノードによって、サービングノードによって送信された第1の指示メッセージを受信し、アンカーノードによって、第1の指示メッセージに応答して応答情報をアンカーノードに送信するステップであって、第1の指示情報は、サービングノードとアンカーノードとの間の第1のインターフェースを確立するように指示するために使用される、ステップ、または
アンカーノードによって、第1の指示情報をサービングノードに送信し、アンカーノードによって、第1の指示情報に応答してサービングノードによって送信された応答情報を受信するステップであって、第1の指示情報は第1のインターフェースを確立するように指示するために使用される、ステップ
を含み、
第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のSRB0で搬送されたRRCメッセージは、サービングノードによってサービスされる。
【００１５】
第2の態様の第1の可能な実施態様において、本方法は、
第1のインターフェースを介してアンカーノードによって、サービングノードによって送信されたアップリンクRRCメッセージ内のSRB1で搬送されたRRCメッセージまたはSRB2で搬送されたRRCメッセージを受信し、RRCメッセージを処理するステップであって、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含む、ステップ、および／または
アンカーノードによって、SRB1またはSRB2に搬送されたダウンリンクRRCメッセージを、第1のインターフェースを介してサービングノードに送信し、そのためサービングノードは、SRB1またはSRB2で搬送されたダウンリンクRRCメッセージをエアインターフェース接続を介してユーザ端末に送信する、ステップであって、ダウンリンクRRCメッセージは、SRB1に搬送されたRRCメッセージまたはSRB2に搬送されたRRCメッセージを含む、ステップ
をさらに含む。
【００１６】
第2の態様または第2の態様の第1の可能な実施態様に関連して、第2の可能な実施態様において、アンカーノードによって、サービングノードによって送信された第1の指示メッセージを受信するステップの前に、本方法は、
アンカーノードによって、アンカーノードに関連するサービングノードのサービングノード情報を取得するステップ
をさらに含む。
【００１７】
第2の態様または第2の態様の第1もしくは第2の可能な実施態様に関連して、第3の可能な実施態様において、アンカーノードとMMEとの間のインターフェース接続を確立するためのインターフェースは、具体的にはS1−MMEインターフェースである。
【００１８】
第2の態様または第2の態様の第1、第2、もしくは第3の可能な実施態様に関連して、第4の可能な実施態様において、アンカーノードによって、アンカーノードに関連するサービングノードのサービングノード情報を取得するステップは、具体的には、
アンカーノードによって、OAMを用いてサービングノード情報を取得するステップ、または
サービングノード情報がアンカーノードに構成されている場合、アンカーノードに関連するサービングノードの構成されたサービングノード情報を取得するステップ
を含む。
【００１９】
第2の態様または第2の態様の第1、第2、第3、もしくは第4の可能な実施態様に関連して、第5の可能な実施態様において、本方法は、
アンカーノードによって、サービングノードによってサービングノードにサポートされる必要がある第1のTACを送信する、またはサービングノードによってサポートされサービングノードによって示される第2のTACを、アンカーノードによって受信する、ステップと、
アンカーノードとMMEとの間に確立されたインターフェースを介してアンカーノードによって、MMEによって送信されたページングメッセージを受信するステップと、
第1のTACまたは第2のTACがページングメッセージに含まれる場合、アンカーノードによって、ページングメッセージを第1のインターフェースを介してサービングノードに送信するステップと
をさらに含む。
【００２０】
第2の態様または第2の態様の第1、第2、第3、第4、もしくは第5の可能な実施態様に関連して、第6の可能な実施態様において、アンカーノードは基地局である、またはアンカーノードは集中コントローラまたは制御プレーンサーバである。
【００２１】
第2の態様または第2の態様の第1、第2、第3、第4、第5、もしくは第6の可能な実施態様に関連して、第7の可能な実施態様において、本方法は、
サービングノードによって送信されるサービングノードのサービングセルのコードを受信するステップであって、サービングセルのコードは、サービングセルをサービングセルとして使用するためにアンカーノードによって使用され、隣接するアンカーノードまたは隣接する基地局に送信される、ステップ
をさらに含む。
【００２２】
第2の態様または第2の態様の第1、第2、第3、第4、第5、第6、もしくは第7の可能な実施態様に関連して、第8の可能な実施態様において、本方法は、
アンカーノードによって、MMEによって送信されたNon−UE Associatedメッセージを受信し、サービングノードとアンカーノードとの間の制御プレーンインターフェースを介してアンカーノードによってNon−UE Associatedメッセージをサービングノードに送信するステップ
をさらに含む。
【００２３】
第3の態様によれば、本発明の実施形態はインターフェース確立装置を提供する。本装置は、
第1の指示情報をアンカーノードに送信するように構成された送信部であって、第1の指示情報は、サービングノードとアンカーノードとの間の第1のインターフェースを確立するように指示するために使用される、送信部、および第1の指示情報に応答してアンカーノードによって送信された応答情報を受信するように構成された受信部、または
アンカーノードによって送信された第1の指示情報を受信するようにさらに構成された受信部であって、第1の指示情報は、第1のインターフェースを確立するように指示するために使用される受信部、および第1の指示情報に応答して応答情報をアンカーノードに送信するようにさらに構成された送信部
を備え、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、本装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００２４】
第3の態様の第1の可能な実施態様において、本装置はさらに処理部を含み、
受信部は、ユーザ端末によって送信されたアップリンクRRCメッセージを受信するようにさらに構成され、アップリンクRRCメッセージは、SRB0で搬送されたRRCメッセージ、SRB1で搬送されたRRCメッセージ、またはSRB2で搬送されたRRCメッセージを含み、処理部は、アップリンクRRCメッセージ内のSRB0を処理するように構成され、または送信部は、第1のインターフェースを介して、アップリンクRRCメッセージ内のSRB1で搬送されたRRCメッセージまたはSRB2で搬送されたRRCメッセージを、処理のためにアンカーノードに送信するようにさらに構成され、および／または、
送信部は、SRB0に搬送されたダウンリンクRRCメッセージを生成し、エアインターフェース接続を介してダウンリンクRRCメッセージをユーザ端末に送信し、または第1のインターフェースを介して、SRB1またはSRB2で搬送されアンカーノードによって送信されたダウンリンクRRCメッセージを受信し、エアインターフェース接続を介してSRB1またはSRB2で搬送されたダウンリンクRRCメッセージをユーザ端末に送信するようにさらに構成されている。
【００２５】
第3の態様または第3の態様の第1の可能な実施態様に関連して、第2の可能な実施態様において、本装置は、
サービングノードに関連するアンカーノードのアンカーノード情報を取得するように構成された取得部
をさらに含む。
【００２６】
第3の態様または第3の態様の第1もしくは第2の可能な実施態様に関連して、第3の可能な実施態様において、アンカーノードとMMEとの間のインターフェース接続を確立するためのインターフェースは、具体的にはS1−MMEインターフェースである。
【００２７】
第3の態様または第3の態様の第1、第2、もしくは第3の可能な実施態様に関連して、第4の可能な実施態様において、取得部は、具体的には、
オペレーション管理メンテナンスOAMシステムを用いてアンカーノード情報を取得し、または
アンカーノードのダウンリンク信号を用いてアンカーノード情報を取得し、ダウンリンク信号は同期信号とシステム情報とを含み、または
アンカーノード情報が本装置に構成されている場合、サービングノードに関連するアンカーノードの構成されたアンカーノード情報を取得する
ように構成されている。
【００２８】
第3の態様または第3の態様の第1、第2、第3、もしくは第4の可能な実施態様に関連して、第5の可能な実施態様において、
受信部は、アンカーノードによって送信され、サポートされる必要がある第1のトラッキングエリアコードTACを受信するようにさらに構成される、または送信部は、サービングノードによってサポートされる第2のTACをアンカーノードに示すようにさらに構成され、
受信部は、第1のインターフェースを介してアンカーノードによって送信されたページングメッセージを受信するようにさらに構成され、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる。
【００２９】
第3の態様または第3の態様の第1、第2、第3、第4、もしくは第5の可能な実施態様に関連して、第6の可能な実施態様において、アンカーノードは基地局である、またはアンカーノードは集中コントローラまたは制御プレーンサーバである。
【００３０】
第1の態様または第1の態様の第1、第2、第3、第4、第5、もしくは第6の可能な実施態様に関連して、第7の可能な実施態様において、
送信部は、サービングノードのサービングセルのコードをアンカーノードに送信するようにさらに構成され、サービングセルのコードは、サービングセルをアンカーノードのサービングセルとして使用するためにアンカーノードによって使用され、アンカーノードの隣接するアンカーノードまたは隣接する基地局に送信される。
【００３１】
第3の態様または第3の態様の第1、第2、第3、第4、第5、第6、もしくは第7の可能な実施態様に関連して、第8の可能な実施態様において、
受信部は、サービングノードとアンカーノードとの間の制御プレーンインターフェースを介してサービングノードによって、アンカーノードによって送信された非UE関連Non−UE Associatedメッセージを受信するようにさらに構成され、Non−UE Associatedメッセージは、MMEからアンカーノードによって受信される。
【００３２】
第3の態様または第3の態様の第1、第2、第3、第4、第5、第6、第7もしくは第8の可能な実施態様に関連して、第9の可能な実施態様において、本装置はサービングノードに配置される。
【００３３】
第4の態様によれば、本発明の実施形態は、インターフェース確立装置を提供する。本装置は、
サービングノードによって送信された第1の指示メッセージを受信するように構成された受信部であって、第1の指示情報がサービングノードとアンカーノードとの間の第1のインターフェースを確立するように指示するために使用される、受信部、および第1の指示メッセージに応答して応答情報を本装置に送信するように構成された送信部、または
第1の指示情報をサービングノードに送信するようにさらに構成された送信部であって、第1の指示情報は、第1のインターフェースを確立するように指示するために使用される、送信部、および、第1の指示情報に応答してサービングノードによって送信された応答情報を受信するようにさらに構成された受信部
を含み、
第1のインターフェースは、サービングノードとアンカーノードとの間の少なくとも制御プレーンインターフェースを含み、制御プレーンインターフェースは、ユーザ端末のRRCメッセージを伝送し、本装置とMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のSRB0で搬送されたRRCメッセージは、サービングノードによってサービスされる。
【００３４】
第1の態様の第1の可能な実施態様において、
受信部は、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理するようにさらに構成され、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含み、および／または
送信部は、SRB1またはSRB2に搬送されたダウンリンクRRCメッセージを、第1のインターフェースを介してサービングノードに送信するようにさらに構成され、そのためサービングノードは、SRB1またはSRB2で搬送されたダウンリンクRRCメッセージをエアインターフェース接続を介してユーザ端末に送信し、ダウンリンクRRCメッセージは、SRB1に搬送されたRRCメッセージまたはSRB2に搬送されたRRCメッセージを含む。
【００３５】
第1の態様または第1の態様の第1の可能な実施態様に関連して、第2の可能な実施態様において、本装置は、
アンカーノードに関連するサービングノードのサービングノード情報を取得するように構成された取得部
をさらに含む。
【００３６】
第1の態様または第1の態様の第1もしくは第2の可能な実施態様に関連して、第3の可能な実施態様において、本装置とMMEとの間のインターフェース接続を確立するためのインターフェースは、具体的にはS1−MMEインターフェースである。
【００３７】
第1の態様または第1の態様の第1、第2もしくは第3の可能な実施態様に関連して、第4の可能な実施態様において、取得部は、具体的には、
OAMを用いてサービングノード情報を取得する、または
サービングノード情報が本装置に構成されている場合、アンカーノードに関連するサービングノードの構成されたサービングノード情報を取得する
ように構成されている。
【００３８】
第1の態様または第1の態様の第1、第2、第3、もしくは第4の可能な実施態様に関連して、第5の可能な実施態様において、
送信部は、サービングノードによってサポートされる必要がある第1のTACをサービングノードに送信するようにさらに構成され、または受信部は、サービングノードによってサポートされ、サービングノードによって示される第2のTACを受信するようにさらに構成され、
受信部は、本装置とMMEとの間に確立されたインターフェースを介して、MMEによって送信されたページングメッセージを受信するようにさらに構成され、
送信部は、第1のTACまたは第2のTACがページングメッセージに含まれている場合、第1のインターフェースを介して、ページングメッセージをサービングノードに送信するようにさらに構成されている。
【００３９】
第1の態様または第1の態様の第1、第2、第3、第4、もしくは第5の可能な実施態様に関連して、第6の可能な実施態様において、本装置は基地局である、または集中コントローラまたは制御プレーンサーバである。
【００４０】
第1の態様または第1の態様の第1、第2、第3、第4、第5、もしくは第6の可能な実施態様に関連して、第7の可能な実施態様において、
受信部は、サービングノードによって送信されるサービングノードのサービングセルのコードを受信するようにさらに構成され、サービングセルのコードは、サービングセルをサービングセルとして使用するためにアンカーノードによって使用され、隣接するアンカーノードまたは隣接する基地局に送信される。
【００４１】
第1の態様または第1の態様の第1、第2、第3、第4、第5、第6、もしくは第7の可能な実施態様に関連して、第8の可能な実施態様において、
受信部は、MMEによって送信されたNon−UE Associatedメッセージを受信し、サービングノードとアンカーノードとの間の制御プレーンインターフェースを介してNon−UE Associatedメッセージをサービングノードに送信するようにさらに構成される。
【００４２】
第1の態様または第1の態様の第1、第2、第3、第4、第5、第6、第7もしくは第8の可能な実施態様に関連して、第9の可能な実施態様において、本装置はアンカーノードに配置される。
【００４３】
第5の態様によれば、本発明の実施形態は、インターフェース確立装置を提供する。本装置は、
ネットワークインターフェースと、
プロセッサと、
メモリと、
メモリに物理的に格納されたアプリケーションプログラムであって、アプリケーションプログラムは、プロセッサおよびシステムが以下のプロセス：
第1の指示情報をアンカーノードに送信し、第1の指示情報に応答してアンカーノードによって送信された応答情報を受信し、第1の指示情報は、サービングノードとアンカーノードとの間の第1のインターフェースを確立するよう指示するために使用される、または
アンカーノードによって送信された第1の指示情報を受信し、第1の指示情報に応答して応答情報をアンカーノードに送信し、第1の指示情報は、第1のインターフェースを確立するように指示するために使用される、
プロセスの指示を実行することを可能にし得る指示を含む、アプリケーションプログラムと
を含み、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、本装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００４４】
第6の態様によれば、本発明の実施形態は、インターフェース確立装置を提供する。本装置は、
ネットワークインターフェースと、
プロセッサと、
メモリと、
メモリに物理的に格納されたアプリケーションプログラムであって、アプリケーションプログラムは、プロセッサおよびシステムが以下のプロセス：
サービングノードによって送信された第1の指示メッセージを受信し、第1の指示メッセージに応答して応答情報を本装置に送信し、第1の指示情報は、サービングノードとアンカーノードとの間の第1のインターフェースを確立するよう指示するために使用される、または
第1の指示情報をサービングノード送信し、第1の指示情報に応答してサービングノードによって送信された応答情報をアンカーノードに受信し、第1の指示情報は、第1のインターフェースを確立するように指示するために使用される、
プロセスの指示を実行することを可能にし得る指示を含む、アプリケーションプログラムと、
を含み、
第1のインターフェースは、サービングノードとアンカーノードとの間の少なくとも制御プレーンインターフェースを含み、制御プレーンインターフェースは、ユーザ端末のRRCメッセージを伝送し、本装置とMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のSRB0で搬送されたRRCメッセージは、サービングノードによってサービスされる。
【００４５】
本発明の実施形態で提供されるインターフェース確立方法によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【図面の簡単な説明】
【００４６】
【図１】本発明の実施形態に係るネットワークアーキテクチャの概略図である。
【図２】本発明の実施形態1に係るインターフェース確立方法のフローチャートである。
【図３Ａ】本発明の実施形態2に係るインターフェース確立方法の詳細なフローチャートである。
【図３Ｂ】本発明の実施形態2に係るインターフェース確立方法の詳細なフローチャートである。
【図４】本発明の実施形態3に係るインターフェース確立方法のフローチャートである。
【図５Ａ】本発明の実施形態4に係るインターフェース確立方法の詳細なフローチャートである。
【図５Ｂ】本発明の実施形態4に係るインターフェース確立方法の詳細なフローチャートである。
【図６Ａ】本発明の実施形態5に係るインターフェース確立方法のシグナリング図である。
【図６Ｂ】本発明の実施形態5に係るインターフェース確立方法のシグナリング図である。
【図７】本発明の実施形態6に係るインターフェース確立装置の概略図である。
【図８】本発明の実施形態7に係るインターフェース確立装置の概略図である。
【図９】本発明の実施形態8によるインターフェース確立装置の概略図である。
【図１０】本発明の実施形態9に係るインターフェース確立装置の概略図である。
【発明を実施するための形態】
【００４７】
本発明の実施形態の目的、技術的解決策、および利点をより明確にするために、以下で、本発明の実施形態における添付の図面に関連して本発明の実施形態における技術的解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００４８】
本発明の実施形態では、図1に示すネットワークアーキテクチャの概略図を参照すると、サービングノードとMMEとの間に直接接続は確立されない。代わりに、サービングノードはアンカーノードに接続され、アンカーノードはMMEに接続され、そのためサービングノードはアンカーノードを用いてMMEに接続される。本発明の実施形態では、コアネットワークのMMEとアンカーノードとの間、およびコアネットワークのSGWとアンカーノードとの間にそれぞれS1−C制御プレーンインターフェースとS1−Uユーザプレーンインターフェースが確立される。アンカーノードは、インターフェースを確立するために信号トンネル（backhaul）を介してサービングノードに接続され、このインターフェースは、具体的には拡張X2インターフェースであってもよく、または別のタイプのインターフェースであってもよい。UEとサービングノードとの間で無線リンク接続が確立される。サービングノードは、RRCメッセージを独立して処理しないが、アンカーノードとサービングノードは、RRCメッセージを共同して処理する。RRCメッセージのタイプに応じて、アンカーノードはいくつかのRRCメッセージを処理し、サービングノードは残りのRRCメッセージを処理し、そのためRRC機能が2つのノードに分割される。UEのための環境が作成され、そのためRRC接続が第1のアンカーで終了できる。
【００４９】
本発明の実施形態で提供されるインターフェース確立方法は、分割されたRRC機能を有するネットワークアーキテクチャに基づいている。アンカーノードおよびサービングノードは、UEのRRCメッセージを共同して処理する。アンカーノードは常にMMEに接続されているので、サービングノードとアンカーノードとの間のインターフェースを確立することにより、端末とサービングノードとの間の無線接続はアンカーノードで終了することができる。端末が同じアンカーノードのサービングノードを変更した場合、端末のインターフェースを変更する必要がなくなり、それにより、ハンドオーバによるコアネットワークのシグナリング負荷を低減し、ページングメッセージとNon−UE Associatedメッセージの量を低減し、コアネットワークのシグナリング負荷をさらに低減する。したがって、UEのサービングノードがある基地局から別の基地局に切り替わるとき、MMEは、MMEによって管理されるすべての基地局にページングメッセージを送信する必要はなく、それによりネットワークにおけるシグナリング負荷を効果的に低減する。
【００５０】
実施形態1
以下において、本発明の実施形態1で提供されるインターフェース確立方法について詳述するための例として、図2を用いる。本方法は、分割されたRRC機能を有するネットワークアーキテクチャに基づいている。図2は、本発明のこの実施形態に係るインターフェース確立方法のフローチャートである。本発明の実施形態1を実施するエンティティは、サービングノードであってもよい。図2に示すように、本方法は以下のステップを含む。
【００５１】
ステップS201：サービングノードは、第1の指示情報をアンカーノードに送信し、第1の指示情報は、サービングノードとアンカーノードとの間の第1のインターフェースを確立するように指示するために使用される。
【００５２】
アンカーノードは基地局である、またはアンカーノードは集中コントローラまたは制御プレーンサーバである。第1の指示情報は、サービングノードとアンカーノードとの間に第1のインターフェースを確立するように指示するために使用される。第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、サービングノードとユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００５３】
ユーザ端末のRRCメッセージ内のSRB1またはSRB2に対応するRRCメッセージは、アンカーノードによってサービスされ、ユーザ端末のSRB0に対応するRRCメッセージは、サービングノードによってサービスされる。すなわち、サービスすることは、アップリンクRRCメッセージを処理すること、またはダウンリンクRRCメッセージを生成することである。
【００５４】
第1のインターフェースは、X2インターフェースまたはX3インターフェースである。X2インターフェースは、1つの基地局と別の基地局との間のインターフェースであり、基地局eNB間の相互接続を実施する。X2インターフェースは、X2ユーザプレーンとX2制御プレーンに分割される。X2インターフェースのユーザプレーンは、eNB間のユーザデータ伝送機能を提供する。
【００５５】
具体的には、アンカーノードとコアネットワークのMMEとの間にS1−C制御プレーンが確立され、アンカーノードとサービングゲートウェイ（SGW）との間にS1−Uユーザプレーンインターフェースが確立される。ここでサービングノードは、コアネットワークとのインターフェースを確立する必要はない。
【００５６】
SRB1 RRCは接続確立完了の時点のUEのRRCメッセージであり、SRB2 RRCは接続確立完了後のUEのRRCメッセージである。
【００５７】
無線リソース制御（Radio Resource Control、RRC）機能は、SRB0、SRB1、SRB2のRRCメッセージを2つのノードに処理する機能を分割する機能である。SRB0はサービングノードによって処理され、SRB1およびSRB2はアンカーノードによって処理される。2つのノードは、インターフェース、好ましくはX2インターフェースを介して接続される。
【００５８】
好ましくは、サービングノードによって、第1の指示情報をアンカーノードに送信するステップの前に、本方法は、サービングノードによって、サービングノードに関連するアンカーノードのアンカーノード情報を取得するステップをさらに含む。
【００５９】
任意選択的に、サービングノードによって、サービングノードに関連するアンカーノードのアンカーノード情報を取得するステップは、具体的には、
サービングノードによって、オペレーション管理メンテナンスOAMシステムを用いてアンカーノード情報を取得するステップ、または
サービングノードによって、アンカーノードのダウンリンク信号を用いてアンカーノード情報を取得するステップであって、ダウンリンク信号は、同期信号およびシステム情報を含む、ステップ、または
サービングノードにアンカーノード情報が構成されている場合、サービングノードに関連するアンカーノードの構成されたアンカーノード情報を取得するステップ
を含む。
【００６０】
具体的には、アンカーノード情報は、設定サーバを用いてサービングノードに構成される。ここでの設定サーバは、オペレーション管理およびメンテナンス（operation administration and maintenance、OAM）システムであってもよい。
【００６１】
あるいは、アンカーノードが基地局である場合、基地局のダウンリンク信号をプロービングする方法を使用することによって、サービングノードは、アンカーノードのダウンリンク信号をプローブしてアンカーノード情報を取得する。ダウンリンク信号は、同期信号およびシステム情報を含む。
【００６２】
あるいは、アンカーノード情報は、サービングノードが配置されたときにサービングノードに構成される。
【００６３】
ステップS202：サービングノードは、第1の指示情報に応答して、アンカーノードによって送信された応答情報を受信する。
【００６４】
サービングノードは、アンカーノードによって送信された応答情報を受信した後、サービングノードとアンカーノードとの間の第1のインターフェースの確立の完了を示す。
【００６５】
アンカーノードは基地局である、またはアンカーノードは集中コントローラまたは制御プレーンサーバである。
【００６６】
サービングノードは、スケジューリング能力を有する無線トランシーバ機能エンティティ、例えば、ロングタームエボリューション（Long Term Evolution、LTE）システムにおけるeNodeB eNBである。
【００６７】
アンカーノード情報は、少なくともアンカーノードの識別子、好ましくはeNodeB識別子eNB IDを含む。
【００６８】
第1のインターフェースX2インターフェースは、並列関係にある2つの基地局間の従来の通信には使用されないが、マスター−スレーブ関係にある2つの基地局間の通信に使用される。すなわち、ユーザ端末（User Equipment、UE）のSRB1およびSRB2の大部分はアンカーノードで終了し、少数はサービングノードで終了する。
【００６９】
本発明のこの実施形態では、ステップS101およびS102は、以下の任意の解決策に置き換えられることができる。
【００７０】
任意選択的に、サービングノードは、アンカーノードによって送信された第1の指示情報を受信し、サービングノードは、第1の指示情報に応答して、応答情報をアンカーノードに送信し、第1の指示情報は、第1のインターフェースを確立するように指示するために使用される。
【００７１】
任意選択的に、アンカーノードとMMEとの間のインターフェース接続を確立するためのインターフェースは、具体的にはS1−MMEインターフェースである。
【００７２】
好ましくは、第1のインターフェースの確立が完了した後、本方法は、
サービングノードによって、ユーザ端末によって送信されたアップリンクRRCメッセージを受信するステップであって、アップリンクRRCメッセージは、SRB0で搬送されたRRCメッセージ、SRB1で搬送されたRRCメッセージ、またはSRB2で搬送されたRRCメッセージを含む、ステップ、サービングノードによって、アップリンクRRCメッセージ内のSRB0を処理する、もしくは、第1のインターフェースを介して、アップリンクRRCメッセージ内のSRB1で搬送されたRRCメッセージまたはSRB2に搬送されたRRCメッセージを、アンカーノードに処理するために送信する、ステップ、および／または、
サービングノードによって、SRB0で搬送されたダウンリンクRRCメッセージを生成し、エアインターフェース接続を介してダウンリンクRRCメッセージを、ユーザ端末に送信する、もしくは第1のインターフェースを介してサービングノードによって、RRC SRB1またはSRB2で搬送され、アンカーノードによって送信されたダウンリンクRRCメッセージを受信し、サービングノードによって、SRB1またはSRB2に搬送されたダウンリンクRRCメッセージをエアインターフェース接続を介してユーザ端末に送信する、ステップ、
をさらに含む。
【００７３】
アップリンクRRCメッセージは、SRB0で搬送されたRRCメッセージ、SRB1で搬送されたRRCメッセージ、またはSRB2で搬送されたRRCメッセージを含む。
【００７４】
具体的には、サービングノードは、SRB0の機能を有し、BCCHによってサービスされるシステムブロードキャストメッセージ、PCCHによってサービスされるセルページングメッセージ、およびCCCHによってサービスされる任意選択的なRRCメッセージを、無線リソース制御（Radio Resource Control、RRC）接続確立プロセスおよびUEのRRC接続再確立プロセスにおいて主に処理する。サービングノードは、システムブロードキャストメッセージを生成して送信し、サービングノードが属するサービングセルのシステムブロードキャストメッセージをアンカーノードに送信するように構成された、排他的RRCプロトコルエンティティを有する。システムブロードキャストメッセージは、MIB、SIB、ページングメッセージ、またはMBMS制御情報であってもよい。サービングノードのプロトコルスタックは、UEのDRB、SRB1、SRB2に対応するRLCプロトコルエンティティと、UEに対応するMACプロトコルエンティティおよび物理レイヤ（Physical Layer、PHY）プロトコルエンティティとを含む。
【００７５】
好ましくは、サービングノードは、アンカーノードによって送信され、サービングノードによってサポートされる必要がある第1のトラッキングエリアコードTACを受信する、またはサービングノードは、サービングノードによってサポートされる第2のTACをアンカーノードに示す。
【００７６】
サービングノードは、第1のインターフェースを介してアンカーノードによって送信されたページングメッセージを受信し、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる。
【００７７】
TACはトラッキングエリアコード（TA code、TAC）である。第1のインターフェースを確立する際の応答情報は、サービングノードによってサポートされる必要がある第1のTACを含む、または第1の指示メッセージは、サービングノードによってサポートされ得る第2のTACを含む。
【００７８】
好ましくは、サービングノードは、サービングノードのサービングセルのコードをアンカーノードに送信し、サービングセルのコードは、サービングセルをアンカーノードのサービングセルとして使用するためにアンカーノードによって使用され、アンカーノードの隣接するアンカーノードまたは隣接する基地局に送信される。
【００７９】
具体的には、今後、隣接するアンカーノードまたは隣接するeNBから要求メッセージを受信するために、アンカーノードは、サービングセルをローカルサービングセルとして使用し、システムブロードキャストメッセージを隣接するアンカーノードまたはアンカーノードの隣接する基地局に転送する。
【００８０】
好ましくは、サービングノードは、サービングノードとアンカーノードとの間の制御プレーンインターフェースを介して、アンカーノードによって送信された非UE関連Non−UE Associatedメッセージを受信し、Non−UE Associated messageメッセージは、MMEからアンカーノードによって受信される。
【００８１】
具体的には、サービングノードがページングメッセージおよび別のNon−UE Associated（非UE関連）メッセージを受信した後、サービングノードのRRCプロトコルエンティティはメッセージを処理する。
【００８２】
本発明のこの実施形態で提供されるインターフェース確立方法によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【００８３】
実施形態2
図3Aおよび図3Bは、本発明の実施形態2に係るインターフェース確立方法の詳細なフローチャートである。本発明の実施形態2を実施するエンティティは、サービングノードであってもよい。図3Aおよび図3Bに示すように、本方法は、以下のステップを含む。
【００８４】
ステップS301：サービングノードは、サービングノードに関連するアンカーノードのアンカーノード情報を取得する。
【００８５】
サービングノードによって、サービングノードに関連するアンカーノードのアンカーノード情報を取得するステップは、具体的には、サービングノードによって、オペレーション管理メンテナンスOAMシステムを用いてアンカーノード情報を取得するステップ、または、サービングノードによって、アンカーノードのダウンリンク信号を用いてアンカーノード情報を取得するステップであって、ダウンリンク信号は、同期信号およびシステム情報を含む、ステップ、またはサービングノードにアンカーノード情報が構成されている場合、サービングノードに関連するアンカーノードの構成されたアンカーノード情報を取得するステップを含む。
【００８６】
ステップS302：サービングノードは、第1の指示情報をアンカーノードに送信する。
【００８７】
アンカーノードは基地局である、またはアンカーノードは集中コントローラまたは制御プレーンサーバである。
【００８８】
第1の指示情報は、サービングノードとアンカーノードとの間の第1のインターフェースを確立するように指示するために使用される。
【００８９】
ステップS303：サービングノードは、第1の指示情報に応答して、アンカーノードによって送信された応答情報を受信する。
【００９０】
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、サービングノードとユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【００９１】
アンカーノードとMMEとの間のインターフェース接続を確立するためのインターフェースは、具体的にはS1−MMEインターフェースである。
【００９２】
本発明のこの実施形態では、ステップS302およびS303は、以下の任意の解決策に置き換られることができる。
【００９３】
任意選択的に、サービングノードは、アンカーノードによって送信された第1の指示情報を受信し、サービングノードは、第1の指示情報に応答して、応答情報をアンカーノードに送信し、第1の指示情報は、第1のインターフェースを確立するように指示するために使用される。
【００９４】
ステップS304：サービングノードは、ユーザ端末によって送信されたアップリンクRRCメッセージを受信し、アップリンクRRCメッセージ内のSRB0を処理する。
【００９５】
アップリンクRRCメッセージは、SRB0で搬送されたRRCメッセージ、SRB1で搬送されたRRCメッセージ、またはSRB2で搬送されたRRCメッセージを含む。
【００９６】
ステップS305：第1のインターフェースを介して、アップリンクRRCメッセージ内のSRB1で搬送されたRRCメッセージまたはSRB2で搬送されたRRCメッセージを、アンカーノードに処理するために送信する。
【００９７】
ステップS306：サービングノードは、SRB0に搬送されたダウンリンクRRCメッセージを生成し、エアインターフェース接続を介してダウンリンクRRCメッセージをユーザ端末に送信する。
【００９８】
ステップS307：サービングノードは、第1のインターフェースを介して、SRB1またはSRB2で搬送されアンカーノードによって送信されたダウンリンクRRCメッセージを受信し、サービングノードは、エアインターフェース接続を介して、SRB1またはSRB2で搬送されたダウンリンクRRCメッセージをユーザ端末に送信する。
【００９９】
本発明の実施形態2では、ステップS306およびS307とステップS304およびS305との間に明確な順序はなく、すなわち、ステップS306およびS307は、ステップS304およびS305の前に行われてもよく、またはステップS306およびS307もしくは、ステップS304およびS305のいずれかが行われてもよい。
【０１００】
ステップS308：サービングノードは、アンカーノードによって送信されサービングノードによってサポートされる必要がある第1のトラッキングエリアコードTACを受信する。
【０１０１】
任意選択的に、サービングノードは、サービングノードによってサポートされる第2のTACをアンカーノードに示す。
【０１０２】
ステップS309：サービングノードは、第1のインターフェースを介して、アンカーノードによって送信されたページングメッセージを受信する。
【０１０３】
ページングメッセージは、アンカーノードとモビリティ管理エンティティとの間に確立されたインターフェースを介してMMEからアンカーノードによって受信され、第1のTACまたは第2のTACは、MMEによって送信されるページングメッセージに含まれる。
【０１０４】
ステップS310：サービングノードは、サービングノードのサービングセルのコードをアンカーノードに送信する。
【０１０５】
サービングセルのコードは、サービングセルをアンカーノードのサービングセルとして使用するためにアンカーノードによって使用され、アンカーノードの隣接するアンカーノードまたは隣接する基地局に送信される。
【０１０６】
ステップS311：サービングノードは、サービングノードとアンカーノードとの間の制御プレーンインターフェースを介して、アンカーノードによって送信された非UE関連Non−UE Associatedメッセージを受信する。
【０１０７】
Non−UE Associatedメッセージは、MMEからアンカーノードによって受信される。
【０１０８】
本発明のこの実施形態で提供されるインターフェース確立方法によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。アンカーノードがMMEによって送信されたページングメッセージを受信し、第1のTACまたは第2のTACがページングメッセージに含まれる場合、サービングノードは、アンカーノードによって送信されたページングメッセージを直接受信し、それにより、ページングメッセージの量を低減し、コアネットワークのシグナリング負荷をさらに低減する。
【０１０９】
実施形態3
以下において、本発明の実施形態3に係るインターフェース確立方法について詳述するための例として、図4を用いる。図4は本発明の実施形態3に係るインターフェース確立方法のフローチャートである。本発明の実施形態3を実施するエンティティは、アンカーノードであってもよい。図4に示すように、本方法は以下のステップを含む。
【０１１０】
ステップS401：アンカーノードは、サービングノードによって送信された第1の指示メッセージを受信し、第1の指示情報は、サービングノードとアンカーノードとの間の第1のインターフェースを確立するように指示するために使用される。
【０１１１】
第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のシグナリングSRB0で搬送されたRRCメッセージは、サービングノードによってサービスされる。
【０１１２】
第1のインターフェースは、X2インターフェースまたはX3インターフェースである。X2インターフェースは、1つの基地局と別の基地局との間のインターフェースであり、基地局eNB間の相互接続を実施する。X2インターフェースは、X2ユーザプレーンとX2制御プレーンに分割される。X2インターフェースのユーザプレーンは、eNB間のユーザデータ伝送機能を提供する。
【０１１３】
具体的には、アンカーノードとコアネットワークのMMEとの間にS1−C制御プレーンが確立され、アンカーノードとサービングゲートウェイ（SGW）との間にS1−Uユーザプレーンインターフェースが確立される。ここでサービングノードは、コアネットワークとのインターフェースを確立する必要はない。
【０１１４】
SRB1 RRCは接続確立完了の時点のUEのRRCメッセージであり、SRB2 RRCは接続確立完了後のUEのRRCメッセージである。
【０１１５】
無線リソース制御（Radio Resource Control、RRC）機能は、SRB0、SRB1、SRB2のRRCメッセージを2つのノードに処理する機能を分割する機能である。SRB0はサービングノードによって処理され、SRB1およびSRB2はアンカーノードによって処理される。2つのノードは、インターフェース、好ましくはX2インターフェースを介して接続される。
【０１１６】
好ましくは、アンカーノードによって、サービングノードによって送信された第1の指示メッセージを受信するステップの前に、本方法は、
アンカーノードによって、アンカーノードに関連するサービングノードのサービングノード情報を取得するステップ
をさらに含む。
【０１１７】
任意選択的に、アンカーノードによって、アンカーノードに関連するサービングノードのサービングノード情報を取得するステップは、具体的には、
アンカーノードによって、OAMを用いてサービングノード情報を取得するステップ、または
サービングノード情報がアンカーノードに構成されている場合、アンカーノードに関連するサービングノードの構成されたサービングノード情報を取得するステップ
を含む。
【０１１８】
ステップS402：アンカーノードは、第1の指示メッセージに応答して応答情報をアンカーノードに送信する。
【０１１９】
アンカーノードは基地局である、またはアンカーノードは集中コントローラまたは制御プレーンサーバである。
【０１２０】
サービングノードは、スケジューリング能力を有する無線トランシーバ機能エンティティ、例えば、ロングタームエボリューション（Long Term Evolution、LTE）システムにおけるeNodeB eNBである。
【０１２１】
アンカーノード情報は、少なくともアンカーノードの識別子、好ましくはeNodeB識別子eNB IDを含む。
【０１２２】
第1のインターフェースX2インターフェースは、並列関係にある2つの基地局間の従来の通信には使用されないが、マスター−スレーブ関係にある2つの基地局間の通信に使用される。すなわち、ユーザ端末（User Equipment、UE）のSRB1およびSRB2の大部分はアンカーノードで終了し、少数はサービングノードで終了する。
【０１２３】
本発明のこの実施形態では、ステップS401およびS402は、以下の任意の解決策に置き換えられることができる。
【０１２４】
任意選択的に、アンカーノードは、第1の指示情報をサービングノードに送信し、アンカーノードは、第1の指示情報に応答して、サービングノードによって送信された応答情報を受信し、第1の指示情報は、第1のインターフェースを確立するように指示するために使用される。
【０１２５】
好ましくは、アンカーノードは、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理し、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含み、および／または
アンカーノードは、SRB1またはSRB2に搬送されたダウンリンクRRCメッセージを、第1のインターフェースを介してサービングノードに送信し、そのためサービングノードは、SRB1またはSRB2で搬送されたダウンリンクRRCメッセージをエアインターフェース接続を介してユーザ端末に送信し、ダウンリンクRRCメッセージは、SRB1に搬送されたRRCメッセージまたはSRB2に搬送されたRRCメッセージを含む。
【０１２６】
具体的には、サービングノードは、SRB0の機能を有し、BCCHによってサービスされるシステムブロードキャストメッセージ、PCCHによってサービスされるセルページングメッセージ、およびCCCHによってサービスされる任意選択的なRRCメッセージを、無線リソース制御（Radio Resource Control、RRC）接続確立プロセスおよびUEのRRC接続再確立プロセスにおいて主に処理する。サービングノードは、システムブロードキャストメッセージを生成して送信し、サービングノードが属するサービングセルのシステムブロードキャストメッセージをアンカーノードに送信するように構成された、排他的RRCプロトコルエンティティを有する。システムブロードキャストメッセージは、MIB、SIB、ページングメッセージ、またはMBMS制御情報であってもよい。サービングノードのプロトコルスタックは、UEのDRB、SRB1、SRB2に対応するRLCプロトコルエンティティと、UEに対応するMACプロトコルエンティティおよび物理レイヤ（Physical Layer、PHY）プロトコルエンティティとを含む。
【０１２７】
好ましくは、アンカーノードは、サービングノードによってサポートされる必要がある第1のTACをサービングノードに送信する、またはアンカーノードは、サービングノードによってサポートされ、サービングノードによって示される第2のTACを受信し、
アンカーノードは、アンカーノードとMMEとの間に確立されたインターフェースを介して、MMEによって送信されたページングメッセージを受信する。
【０１２８】
第1のTACまたは第2のTACがページングメッセージに含まれる場合、アンカーノードによって、第1のインターフェースを介してページングメッセージをサービングノードに送信する。
【０１２９】
TACはトラッキングエリアコード（TA code、TAC）である。第1のインターフェースを確立する際の応答情報は、サービングノードによってサポートされる必要がある第1のTACを含む、または第1の指示メッセージは、サービングノードによってサポートされ得る第2のTACを含む。
【０１３０】
好ましくは、サービングノードによって送信されるサービングノードのサービングセルのコードが受信され、サービングセルのコードはサービングセルをサービングセルとして使用するためにアンカーノードによって使用され、隣接するアンカーノードまたは隣接する基地局に送信される。
【０１３１】
具体的には、今後、隣接するアンカーノードまたは隣接するeNBから要求メッセージを受信するために、アンカーノードは、サービングセルをローカルサービングセルとして使用し、システムブロードキャストメッセージを隣接するアンカーノードまたはアンカーノードの隣接する基地局に転送する。
【０１３２】
好ましくは、アンカーノードは、MMEによって送信されたNon−UE Associatedメッセージを受信し、アンカーノードは、サービングノードとアンカーノードとの間の制御プレーンインターフェースを介してNon−UE Associatedメッセージをサービングノードに送信する。
【０１３３】
具体的には、サービングノードがページングメッセージおよび別のNon−UE Associated（非UE関連）メッセージを受信した後、サービングノードのRRCプロトコルエンティティはメッセージを処理する。
【０１３４】
本発明のこの実施形態で提供されるインターフェース確立方法によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０１３５】
実施形態4
図5Aおよび図5Bは、本発明のこの実施形態に係るインターフェース確立方法の詳細なフローチャートである。本発明の実施形態4を実施するエンティティは、アンカーノードであってもよい。図5Aおよび図5Bに示すように、本方法は以下のステップを含む。
【０１３６】
ステップS501：アンカーノードは、アンカーノードに関連するサービングノードのサービングノード情報を取得する。
【０１３７】
アンカーノードが、アンカーノードに関連するサービングノードのサービングノード情報を取得するというステップは、具体的には、アンカーノードによって、OAMを用いてサービングノード情報を取得するステップ、またはサービングノード情報がアンカーノードに構成されている場合、アンカーノードに関連するサービングノードの構成されたサービングノード情報を取得するステップを含む。
【０１３８】
ステップS502：アンカーノードは、サービングノードによって送信された第1の指示メッセージを受信する。
【０１３９】
アンカーノードは基地局である、またはアンカーノードは集中コントローラまたは制御プレーンサーバである。
【０１４０】
第1の指示情報は、サービングノードとアンカーノードとの間の第1のインターフェースを確立するように指示するために使用される。
【０１４１】
ステップS503：アンカーノードは、第1の指示メッセージに応答して応答情報をアンカーノードに送信する。
【０１４２】
第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のシグナリングSRB0で搬送されたRRCメッセージは、サービングノードによってサービスされる。
【０１４３】
アンカーノードとMMEとの間のインターフェース接続を確立するためのインターフェースは、具体的にはS1−MMEインターフェースである。
【０１４４】
本発明のこの実施形態では、ステップS502およびS503は、以下の任意の解決策に置き換えられることができる。
【０１４５】
任意選択的に、アンカーノードは、第1の指示情報をサービングノードに送信し、アンカーノードは、第1の指示情報に応答して、サービングノードによって送信された応答情報を受信し、第1の指示情報は、第1のインターフェースを確立するように指示するために使用される。
【０１４６】
ステップS504：アンカーノードは、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理する。
【０１４７】
アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含む。
【０１４８】
ステップS505：アンカーノードは、第1のインターフェースを介して、SRB1またはSRB2で搬送されたダウンリンクRRCメッセージを、サービングノードに送信する。
【０１４９】
サービングノードは、SRB1またはSRB2に搬送されたダウンリンクRRCメッセージをエアインターフェース接続を介してユーザ端末に送信する。ダウンリンクRRCメッセージは、SRB1に搬送されたRRCメッセージまたはSRB2に搬送されたRRCメッセージを含む。
【０１５０】
本発明の実施形態4では、ステップS504とステップS505との間に明確な順序はなく、すなわち、ステップS504はステップS505の前に行われてもよく、またはステップS504もしくはステップS505のいずれかが行われてもよい。
【０１５１】
ステップS506：アンカーノードは、サービングノードによってサポートされる必要がある第1のTACをサービングノードに送信する。
【０１５２】
任意選択的に、アンカーノードは、サービングノードによってサポートされ、サービングノードによって示される第2のTACを受信する。
【０１５３】
ステップS507：アンカーノードは、アンカーノードとMMEとの間に確立されたインターフェースを介して、MMEによって送信されたページングメッセージを受信する。
【０１５４】
ページングメッセージは、MMEからS1−MMEインターフェースを介してアンカーノードによって受信される。
【０１５５】
ステップS508：第1のTACまたは第2のTACがページングメッセージに含まれる場合、アンカーノードは、第1のインターフェースを介してページングメッセージをサービングノードに送信する。
【０１５６】
ステップS509：サービングノードによって送信されるサービングノードのサービングセルのコードを受信する。
【０１５７】
サービングセルのコードは、サービングセルをサービングセルとして使用するためにアンカーノードによって使用され、隣接するアンカーノードまたは隣接する基地局に送信される。
【０１５８】
ステップS510：アンカーノードは、MMEによって送信されたNon−UE Associatedメッセージを受信し、アンカーノードは、サービングノードとアンカーノードとの間の制御プレーンインターフェースを介してNon−UE Associatedメッセージをサービングノードに送信する。
【０１５９】
本発明のこの実施形態で提供されるインターフェース確立方法によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。アンカーノードがMMEによって送信されたページングメッセージを受信し、第1のTACまたは第2のTACがページングメッセージに含まれる場合、サービングノードは、アンカーノードによって送信されたページングメッセージを直接受信し、それにより、ページングメッセージの量を低減し、コアネットワークのシグナリング負荷をさらに低減する。
【０１６０】
実施形態5
図6Aおよび図6Bは、本発明の実施形態5に係るインターフェース確立方法のシグナリング図である。図6Aおよび図6Bに示すように、以下で本発明の実施形態5で提供されるインターフェース確立方法のシグナリングインターワーキングプロセスを詳述する。本方法は以下のステップを含む。
【０１６１】
ステップS601：サービングノードは、サービングノードに関連するアンカーノードのアンカーノード情報を取得する。
【０１６２】
サービングノードは、サービングノードに関連するアンカーノードのアンカーノード情報をOAMを用いて構成し、またはサービングノードは、基地局のダウンリンク信号を用いてアンカーノード情報を取得し、ダウンリンク信号は、同期信号およびシステム情報を含み、またはアンカーノード情報がサービングノードに構成されている場合、サービングノードは、サービングノードに関連するアンカーノードの構成されたアンカーノード情報を取得する。
【０１６３】
ステップS602：サービングノードは、第1の指示情報をアンカーノードに送信する。
【０１６４】
第1の指示情報は、第1のインターフェースを確立するように指示するために使用される。第1のインターフェースは、サービングノードとアンカーノードとの間の少なくとも制御プレーンインターフェースを含み、制御プレーンインターフェースは、ユーザ端末のRRCメッセージを伝送し、アンカーノードとMMEとの間のS1−MMEインターフェース接続を確立し、サービングノードとユーザ端末との間のエアインターフェース接続を確立する、ために少なくとも使用され、ユーザ端末のRRCメッセージ内のSRB1またはSRB2に対応するRRCメッセージは、アンカーノードによってサービスされ、ユーザ端末のシグナリングSRB0に対応するRRCメッセージは、サービングノードによってサービスされる。
【０１６５】
ステップS603：サービングノードは、第1の指示情報に応答して、アンカーノードによって送信された応答情報を受信する。
【０１６６】
ステップS604：サービングノードは、ユーザ端末によって送信されたアップリンクRRCメッセージを受信する。
【０１６７】
アップリンクRRCメッセージは、SRB0で搬送されたRRCメッセージ、SRB1で搬送されたRRCメッセージ、またはSRB2で搬送されたRRCメッセージを含む。
【０１６８】
ステップS605：サービングノードは、アップリンクRRCメッセージ内のSRB0を処理する。
【０１６９】
ステップS606：サービングノードは、第1のインターフェースを介して、アップリンクRRCメッセージ内のSRB1で搬送されたRRCメッセージまたはSRB2で搬送されたRRCメッセージを、処理のためにアンカーノードに送信する。
【０１７０】
ステップS607：アンカーノードは、第1のインターフェースを介して、アップリンクRRCメッセージ内のSRB1で搬送されたRRCメッセージまたはSRB2で搬送されたRRCメッセージを受信し、RRCメッセージを処理する。
【０１７１】
ステップS608：サービングノードは、SRB0で搬送されたダウンリンクRRCメッセージを生成する。
【０１７２】
ステップS609：サービングノードは、エアインターフェース接続を介して、SRB0で搬送されたその生成されたダウンリンクRRCメッセージをユーザ端末に送信する。
【０１７３】
ステップS610：アンカーノードは、第1のインターフェースを介して、SRB1またはSRB2で搬送されたダウンリンクRRCメッセージを、サービングノードに送信する。
【０１７４】
ステップS611：サービングノードは、第1のインターフェースを介して、SRB1またはSRB2で搬送されアンカーノードによって送信されたダウンリンクRRCメッセージを受信し、サービングノードは、エアインターフェース接続を介して、SRB1またはSRB2で搬送されたダウンリンクRRCメッセージをユーザ端末に送信する。
【０１７５】
ステップS612：アンカーノードは、サービングノードによってサポートされる必要がある第1のトラッキングエリアコードTACをサービングノードに送信する。
【０１７６】
任意選択的に、サービングノードは、サービングノードによってサポートされ得る第2のTACをアンカーノードに示す。
【０１７７】
ステップS613：アンカーノードは、S1−MMEインターフェースを介して、MMEによって送信されたページングメッセージを受信する。
【０１７８】
ステップS614：サービングノードは、第1のインターフェースを介して、アンカーノードによって送信されたページングメッセージを受信する。
【０１７９】
ページングメッセージは、MMEからアンカーノードによってS1−MMEインターフェースを介して受信され、第1のTACまたは第2のTACは、MMEによって送信されたページングメッセージに含まれる。
【０１８０】
ステップS615：サービングノードは、サービングノードのサービングセルのコードをアンカーノードに送信する。
【０１８１】
ステップS616：アンカーノードは、サービングノードによって送信されるサービングノードのサービングセルのコードを受信し、アンカーノードは、サービングセルをサービングセルとして使用し、サービングセルのコードを隣接するアンカーノードまたは隣接する基地局に送信する。
【０１８２】
ステップS617：アンカーノードは、MMEによって送信されたNon−UE Associatedメッセージを受信する。
【０１８３】
ステップS618：アンカーノードは、制御プレーンインターフェースを介してNon−UE Associatedメッセージをサービングノードに送信する。
【０１８４】
ステップS619：サービングノードは、ページングメッセージまたはNon−UE Associatedメッセージをユーザ端末に送信する。
【０１８５】
本発明のこの実施形態で提供されるインターフェース確立方法によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。アンカーノードがMMEによって送信されたページングメッセージを受信し、第1のTACまたは第2のTACがページングメッセージに含まれる場合、サービングノードは、アンカーノードによって送信されたページングメッセージを直接受信し、それにより、ページングメッセージの量を低減し、コアネットワークのシグナリング負荷をさらに低減する。
【０１８６】
実施形態6
実施形態1は、サービングノードによって実現されるインターフェース確立方法を説明する。これに対応して、本発明のこの実施形態は、インターフェース確立装置をさらに提供する。図7は、本発明のこの実施形態に係るインターフェース確立装置の概略図である。図7に示すように、インターフェース確立装置は、送信部701と、受信部702とを含む。
【０１８７】
送信部701は、第1の指示情報をアンカーノードに送信するように構成され、第1の指示情報は、サービングノードとアンカーノードとの間の第1のインターフェースを確立するように指示するために使用される。
【０１８８】
受信部702は、第1の指示情報に応答してアンカーノードによって送信された応答情報を受信するように構成されている。
【０１８９】
あるいは、受信部702は、アンカーノードによって送信された第1の指示情報を受信するようにさらに構成され、第1の指示情報は、第1のインターフェースを確立するように指示するために使用され、送信部701は、第1の指示情報に応答して応答情報をアンカーノードに送信するようにさらに構成されている。
【０１９０】
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2で搬送されたRRCメッセージは、アンカーノードによってサービスされ、ユーザ端末のシグナリング無線ベアラ0 SRB0で搬送されたRRCメッセージは、サービングノードによってサービスされる。
【０１９１】
任意選択的に、本装置はさらに処理部を含み、
受信部702は、ユーザ端末によって送信されたアップリンクRRCメッセージを受信するようにさらに構成され、アップリンクRRCメッセージは、SRB0で搬送されたRRCメッセージ、SRB1で搬送されたRRCメッセージ、またはSRB2で搬送されたRRCメッセージを含み、処理部は、アップリンクRRCメッセージ内のSRB0を処理するように構成され、または送信部は、第1のインターフェースを介して、アップリンクRRCメッセージ内のSRB1で搬送されたRRCメッセージまたはSRB2で搬送されたRRCメッセージを、処理のためにアンカーノードに送信するようにさらに構成され、および／または、
送信部701は、SRB0に搬送されたダウンリンクRRCメッセージを生成し、エアインターフェース接続を介してダウンリンクRRCメッセージをユーザ端末に送信し、または第1のインターフェースを介して、SRB1またはSRB2で搬送され、アンカーノードによって送信されたダウンリンクRRCメッセージを受信し、エアインターフェース接続を介してSRB1またはSRB2で搬送されたダウンリンクRRCメッセージをユーザ端末に送信するようにさらに構成されている。
【０１９２】
任意選択的に、本装置は、サービングノードに関連するアンカーノードのアンカーノード情報を取得するように構成された取得部703をさらに含む。
【０１９３】
任意選択的に、取得部703は、具体的には、以下のように構成される：
取得部703は、サービングノードによって、オペレーション管理メンテナンスOAMシステムを用いてアンカーノード情報を取得するようにさらに構成し、または、サービングノードによって、サービングノードが、アンカーノードのダウンリンク信号を用いてアンカーノード情報を取得するように構成され、ダウンリンク信号は、同期信号およびシステム情報を含み、または、
構成部704は、サービングノード上のアンカーノード情報を構成するように構成されている。
【０１９４】
任意選択的に、アンカーノードとMMEとの間のインターフェース接続を確立するためのインターフェースは、具体的にはS1−MMEインターフェースである。
【０１９５】
任意選択的に、アンカーノードは基地局である、またはアンカーノードは集中コントローラまたは制御プレーンサーバである。
【０１９６】
任意選択的に、受信部702は、アンカーノードによって送信され、サポートされる必要がある第1のトラッキングエリアコードTACを受信するようにさらに構成される、または送信部は、さらに、サービングノードによってサポートされる第2のTACをアンカーノードに示すようにさらに構成され、
受信部702は、第1のインターフェースを介してアンカーノードによって送信されたページングメッセージを受信するようにさらに構成され、ページングメッセージは、アンカーノードとモビリティ管理エンティティとの間に確立されたインターフェースを介してMMEからアンカーノードによって受信され、第1のTACまたは第2のTACは、MMEによって送信されたページングメッセージに含まれる。
【０１９７】
任意選択的に、送信部701は、サービングノードのサービングセルのコードをアンカーノードに送信するようにさらに構成され、サービングセルのコードは、サービングセルをアンカーノードのサービングセルとして使用するためにアンカーノードによって使用され、アンカーノードの隣接するアンカーノードまたは隣接する基地局に送信される。
【０１９８】
任意選択的に、受信部702は、サービングノードとアンカーノードとの間の制御プレーンインターフェースを介して、アンカーノードによって送信された非UE関連Non−UE Associatedメッセージを受信するようにさらに構成され、Non−UE AssociatedメッセージはアンカーノードによってMMEから受信される。
【０１９９】
任意選択的に、装置はサービングノードに配置される。
【０２００】
本発明のこの実施形態で提供されるインターフェース確立装置によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２０１】
実施形態7
実施形態3は、アンカーノードによって実現されるインターフェース確立方法を説明する。これに対応して、本発明のこの実施形態は、インターフェース確立装置をさらに提供する。図8は、本発明のこの実施形態に係るインターフェース確立装置の概略図である。図8に示すように、インターフェース確立装置は、受信部801と、送信部802とを含む。
【０２０２】
受信部801は、サービングノードによって送信された第1の指示メッセージを受信するように構成され、第1の指示情報は、サービングノードとアンカーノードとの間の第1のインターフェースを確立するように指示するために使用される。
【０２０３】
送信部802は、第1の指示メッセージに応答して応答情報を装置に送信するように構成されている。
【０２０４】
あるいは、送信部802は、第1の指示情報をサービングノードに送信するようにさらに構成され、第1の指示情報は、第1のインターフェースを確立するように指示するために使用される。
【０２０５】
受信部801は、第1の指示情報に応答してサービングノードによって送信された応答情報を受信するようにさらに構成されている。
【０２０６】
第1のインターフェースは、サービングノードとアンカーノードとの間の少なくとも制御プレーンインターフェースを含み、制御プレーンインターフェースは、ユーザ端末のRRCメッセージを伝送し、装置とMMEとの間のインターフェース接続を確立し、サービングノードとユーザ端末との間のエアインターフェース接続を確立する、ために少なくとも使用され、ユーザ端末のRRCメッセージ内のSRB1またはSRB2で搬送されたRRCメッセージは、アンカーノードによってサービスされ、ユーザ端末のシグナリングSRB0で搬送されたRRCメッセージは、サービングノードによってサービスされる。
【０２０７】
任意選択的に、受信部801は、第1のインターフェースを介して、サービングノードによって送信されたアップリンクRRCメッセージ内のSRB1で搬送されたRRCメッセージまたはSRB2で搬送されたRRCメッセージを受信し、RRCメッセージを処理するようにさらに構成され、アップリンクRRCメッセージは、ユーザ端末からサービングノードによって受信され、アップリンクRRCメッセージは、SRB0で搬送されたRRCメッセージ、SRB1で搬送されたRRCメッセージ、またはSRB2で搬送されたRRCメッセージを含み、および／または
送信部802は、SRB1またはSRB2に搬送されたダウンリンクRRCメッセージを、第1のインターフェースを介してサービングノードに送信するようにさらに構成され、そのためサービングノードは、SRB1またはSRB2で搬送されたダウンリンクRRCメッセージをエアインターフェース接続を介してユーザ端末に送信し、ダウンリンクRRCメッセージは、SRB1に搬送されたRRCメッセージまたはSRB2に搬送されたRRCメッセージを含む。
【０２０８】
任意選択的に、本装置は、
アンカーノードに関連するサービングノードのサービングノード情報を取得するように構成された取得部803
をさらに含む。
【０２０９】
任意選択的に、アンカーノードとMMEとの間のインターフェース接続を確立するためのインターフェースは、具体的にはS1−MMEインターフェースである。
【０２１０】
任意選択的に、取得部803は、具体的には、
OAMを用いてサービングノード情報を取得する、または
サービングノード情報が装置に構成されている場合、アンカーノードに関連するサービングノードの構成されたサービングノード情報を取得する
ように構成されている。
【０２１１】
任意選択的に、送信部802は、サービングノードによってサポートされる必要がある第1のTACをサービングノードに送信するようにさらに構成され、または受信部は、サービングノードによってサポートされ、サービングノードによって示される第2のTACを受信するようにさらに構成され、
受信部801は、装置とMMEとの間に確立されたインターフェースを介して、MMEによって送信されたページングメッセージを受信するようにさらに構成され、
送信部802は、第1のTACまたは第2のTACがページングメッセージに含まれている場合、第1のインターフェースを介して、ページングメッセージをサービングノードに送信するようにさらに構成されている。
【０２１２】
任意選択的に、装置は基地局である、または集中コントローラまたは制御プレーンサーバである。
【０２１３】
任意選択的に、受信部801は、サービングノードによって送信されるサービングノードのサービングセルのコードを受信するようにさらに構成され、サービングセルのコードはサービングセルをサービングセルとして使用するためにアンカーノードによって使用され、隣接するアンカーノードまたは隣接する基地局に送信される。
【０２１４】
任意選択的に、受信部801は、MMEによって送信されたNon−UE Associatedメッセージを受信し、サービングノードとアンカーノードとの間の制御プレーンインターフェースを介してNon−UE Associatedメッセージをサービングノードに送信するようにさらに構成されている。
【０２１５】
任意選択的に、装置はアンカーノード内に配置される。
【０２１６】
本発明のこの実施形態で提供されるインターフェース確立装置によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２１７】
実施形態8
実施形態1は、サービングノードによって実現されるインターフェース確立方法を説明する。これに対応して、本発明のこの実施形態は、実施形態1のインターフェース確立方法を実現するためのインターフェース確立装置をさらに提供する。図9は、本発明のこの実施形態に係るインターフェース確立装置の概略図である。図9に示すように、インターフェース確立装置は、ネットワークインターフェース901と、プロセッサ902と、メモリ903とを含む。システムバス904は、ネットワークインターフェース901と、プロセッサ902と、メモリ903とを接続するように構成されている。
【０２１８】
ネットワークインターフェース901は、モノのインターネットの端末、モノのインターネットのアクセスゲートウェイ、ベアラネットワーク、モノのインターネットのサービングゲートウェイ、およびアプリケーションサーバと通信するように構成されている。
【０２１９】
メモリ903は、ハードディスクドライブやフラッシュメモリなどの永続メモリであってもよい。メモリ903にはソフトウェアモジュールとデバイスドライバとが存在する。ソフトウェアモジュールは、本発明の前述の方法を実施することができる任意のタイプの機能モジュールであってもよく、デバイスドライバはネットワークおよびインターフェースドライバであってもよい。
【０２２０】
起動時に、そのようなソフトウェアコンポーネントは、メモリ903にロードされ、プロセッサ902によってアクセスされ、以下の
第1の指示情報をアンカーノードに送信し、第1の指示情報に応答してアンカーノードによって送信された応答情報を受信し、第1の指示情報は、サービングノードとアンカーノードとの間の第1のインターフェースを確立するように指示するために使用される、または
アンカーノードによって送信された第1の指示情報を受信し、第1の指示情報に応答して応答情報をアンカーノードに送信し、第1の指示情報は、第1のインターフェースを確立するように指示するために使用される、
という指示を実行し、
第1のインターフェースは、サービングノードとアンカーノードとの間の少なくとも制御プレーンインターフェースを含み、制御プレーンインターフェースは、ユーザ端末の無線リソース制御RRCメッセージを伝送し、アンカーノードとモビリティ管理エンティティMMEとの間のインターフェース接続を確立し、装置とユーザ端末との間のエアインターフェース接続を確立する、ために少なくとも使用され、ユーザ端末のRRCメッセージ内のシグナリング無線ベアラ1 SRB1またはシグナリング無線ベアラ2 SRB2に搬送されたRRCメッセージは、アンカーノードによってサービスされ、ユーザ端末のシグナリング無線ベアラ0 SRB0に搬送されたRRCメッセージは、サービングノードによってサービスされる。
【０２２１】
本発明のこの実施形態で提供されるインターフェース確立装置によれば、サービングノードは、第1の指示情報をアンカーノードに送信し、サービングノードは、第1の指示情報に応答して、アンカーノードによって送信された応答情報を受信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２２２】
実施形態9
実施形態3は、アンカーノードによって実現されるインターフェース確立方法を説明する。これに対応して、本発明のこの実施形態は、実施形態3のインターフェース確立方法を実現するためのインターフェース確立装置をさらに提供する。図10は、本発明のこの実施形態に係るインターフェース確立装置の概略図である。図10に示すように、インターフェース確立装置は、ネットワークインターフェース1001と、プロセッサ1002と、メモリ1003とを含む。システムバス1004は、ネットワークインターフェース1001と、プロセッサ1002と、メモリ1003とを接続するように構成されている。
【０２２３】
ネットワークインターフェース1001は、モノのインターネットの端末、モノのインターネットのアクセスゲートウェイ、ベアラネットワーク、モノのインターネットのサービングゲートウェイ、およびアプリケーションサーバと通信するように構成されている。
【０２２４】
メモリ1003は、ハードディスクドライブやフラッシュメモリなどの永続メモリであってもよい。メモリ1003にはソフトウェアモジュールとデバイスドライバとが存在する。ソフトウェアモジュールは、本発明の前述の方法を実施することができる任意のタイプの機能モジュールであってもよく、デバイスドライバはネットワークおよびインターフェースドライバであってもよい。
【０２２５】
起動時に、そのようなソフトウェアコンポーネントは、メモリ1003にロードされ、次いで、プロセッサ1002によってアクセスされ、以下の
サービングノードによって送信された第1の指示メッセージをアンカーノードに受信し、第1の指示メッセージに応答して応答情報を装置に送信し、第1の指示情報は、サービングノードとアンカーノードとの間の第1のインターフェースを確立するように指示するために使用される、または
第1の指示情報をサービングノードに送信し、第1の指示情報に応答してサービングノードによって送信された応答情報を受信し、第1の指示情報は、第1のインターフェースを確立するように指示するために使用される、
という指示を実行し、
第1のインターフェースは、サービングノードとアンカーノードとの間の少なくとも制御プレーンインターフェースを含み、制御プレーンインターフェースは、ユーザ端末のRRCメッセージを伝送し、装置とMMEとの間のインターフェース接続を確立し、サービングノードと装置とユーザ端末との間のエアインターフェース接続を確立する、ために少なくとも使用され、ユーザ端末のRRCメッセージ内のSRB1またはSRB2に搬送されたRRCメッセージは、アンカーノードによってサービスされ、ユーザ端末のSRB0に搬送されたRRCメッセージは、サービングノードによってサービスされる。
【０２２６】
本発明のこの実施形態で提供されるインターフェース確立装置によれば、アンカーノードは、サービングノードによって送信された第1の指示メッセージを受信し、アンカーノードは、第1の指示メッセージに応答して応答情報をアンカーノードに送信する。サービングノードとアンカーノードとの間の第1のインターフェースは、第1の指示情報に従って確立され、そのため確立された第1のインターフェースを介してサービングノードとアンカーノードとの間で無線接続が確立される。サービングノードは、ユーザ端末のSRB0で搬送されたRRCメッセージをサービスし、アンカーノードは、ユーザ端末のSRB1またはSRB2で搬送されたRRCメッセージをサービスする。このようにして、端末とサービングノードとの間の無線接続はアンカーノードで終了することができ、端末が、同じアンカーノードのサービングノードを変更した場合、端末のインターフェースは変更される必要がなくなり、それにより、ハンドオーバに起因するコアネットワークのシグナリング負荷を低減する。
【０２２７】
当業者がさらに認めるように、本明細書で開示された実施形態に記載されている例と組み合わせて、ユニットおよびアルゴリズムステップを、電子ハードウェア、コンピュータソフトウェア、またはこれらの組み合わせによって実現することもできる。ハードウェアとソフトウェアとの間の互換性を明確に記述するために、以上では、機能に従って各例の構成およびステップを一般的に記述している。各機能が果たされるのがハードウェアによってか、それともソフトウェアによってかは、技術的解決策の個々の用途および設計上の制約条件に依存する。当業者は、様々な方法を使用して個々の用途ごとに記述された機能を実現することができるが、そうした実施態様は本発明の実施形態の範囲を超えるものとみなすべきではない。
【０２２８】
本明細書で開示された実施形態に記載される方法またはアルゴリズムのステップは、ハードウェア、プロセッサによって実行されるソフトウェアモジュール、またはこれらの組み合わせによって実現することができる。ソフトウェアモジュールは、ランダム・アクセス・メモリ（RAM）、メモリ、読取り専用メモリ（ROM）、電気的プログラム可能ROM、電気的消去可能プログラム可能ROM、レジスタ、ハードディスク、取り外し可能ディスク、CD−ROM、または当分野で公知の任意の他の形の記憶媒体に置くことができる。
【０２２９】
以上の具体的な実施態様においては、本発明の実施形態の目的、技術的解決策、および利益が詳細にさらに説明されている。以上の説明は、単に、本発明の実施形態の具体的実施態様であるにすぎず、本発明の実施形態の保護範囲を限定するためのものではないことを理解すべきである。本発明の実施形態の原理を逸脱することなくなされるあらゆる改変、等価の置換、または改善は、本発明の実施形態の保護範囲内に含まれるものである。
【符号の説明】
【０２３０】
701  送信部
702  受信部
703  取得部
704  構成部
801  受信部
802  送信部
803  取得部
901  ネットワークインターフェース
902  プロセッサ
903  メモリ
904  システムバス
1001  ネットワークインターフェース
1002  プロセッサ
1003  メモリ
1004  システムバス
【手続補正２】
【補正対象書類名】特許請求の範囲
【補正対象項目名】全文
【補正方法】変更
【補正の内容】
【特許請求の範囲】
【請求項１】
インターフェース確立方法であって、前記方法は、
サービングノードによって、第1の指示情報をアンカーノードに送信し、前記サービングノードによって、前記第1の指示情報に応答して前記アンカーノードによって送信された応答情報を受信するステップであって、前記第1の指示情報は、前記サービングノードと前記アンカーノードとの間の第1のインターフェースを確立するように指示するために使用される、ステップ、または
サービングノードによって、アンカーノードによって送信された第1の指示情報を受信し、前記サービングノードによって、前記第1の指示情報に応答して応答情報を前記アンカーノードに送信するステップであって、前記第1の指示情報は第1のインターフェースを確立するように指示するために使用される、ステップ
を含み、
前記第1のインターフェースは、前記サービングノードと前記アンカーノードとの間の少なくとも制御プレーンインターフェースを含み、前記制御プレーンインターフェースは、ユーザ端末の無線リソース制御RRCメッセージを伝送し、前記アンカーノードとモビリティ管理エンティティMMEとの間のインターフェース接続を確立し、前記サービングノードと前記ユーザ端末との間のエアインターフェース接続を確立する、ために少なくとも使用され、前記ユーザ端末の前記RRCメッセージ内のシグナリング無線ベアラ1 SRB1またはシグナリング無線ベアラ2 SRB2で搬送された前記RRCメッセージは、前記アンカーノードによってサービスされ、前記ユーザ端末のシグナリング無線ベアラ0 SRB0で搬送された前記RRCメッセージは、前記サービングノードによってサービスされる、
方法。
【請求項２】
前記方法は、
前記サービングノードによって、前記ユーザ端末によって送信されたアップリンクRRCメッセージを受信するステップであって、前記アップリンクRRCメッセージは、前記SRB0で搬送された前記RRCメッセージ、前記SRB1で搬送された前記RRCメッセージ、または前記SRB2で搬送された前記RRCメッセージを含む、ステップ、前記サービングノードによって、前記アップリンクRRCメッセージ内の前記SRB0を処理する、もしくは、前記第1のインターフェースを介して、前記アップリンクRRCメッセージ内の前記SRB1で搬送された前記RRCメッセージまたは前記SRB2に搬送された前記RRCメッセージを、前記アンカーノードに処理するために送信する、ステップ、および／または、
前記サービングノードによって、前記SRB0で搬送されたダウンリンクRRCメッセージを生成し、前記エアインターフェース接続を介して前記ダウンリンクRRCメッセージを、前記ユーザ端末に送信する、もしくは前記第1のインターフェースを介して前記サービングノードによって、前記SRB1または前記SRB2で搬送され、前記アンカーノードによって送信されたダウンリンクRRCメッセージを受信し、前記サービングノードによって、前記SRB1または前記SRB2に搬送された前記ダウンリンクRRCメッセージを前記エアインターフェース接続を介して前記ユーザ端末に送信する、ステップ
をさらに含む、請求項1に記載の方法。
【請求項３】
サービングノードによって、第1の指示情報をアンカーノードに送信する前記ステップの前に、前記方法は、
前記サービングノードによって、前記サービングノードに関連するアンカーノードのアンカーノード情報を取得するステップ
をさらに含む、請求項1または2に記載の方法。
【請求項４】
前記方法は、前記サービングノードによって、前記アンカーノードによって送信され、前記サービングノードによってサポートされる必要がある第1のトラッキングエリアコードTACを受信する、または前記サービングノードによって、前記サービングノードによってサポートされる第2のTACを前記アンカーノードに示す、ステップと、
前記サービングノードによって、前記第1のインターフェースを介して前記アンカーノードによって送信されたページングメッセージを受信するステップであって、前記ページングメッセージは、前記アンカーノードと前記モビリティ管理エンティティとの間に確立された前記インターフェースを介して前記MMEから前記アンカーノードによって受信され、前記第1のTACまたは前記第2のTACは、前記MMEによって送信された前記ページングメッセージに含まれる、ステップと
をさらに含む、請求項1から3のいずれか一項に記載の方法。
【請求項５】
前記アンカーノードが基地局である、または前記アンカーノードが集中コントローラまたは制御プレーンサーバである、請求項1から4のいずれか一項に記載の方法。
【請求項６】
前記方法は、
前記サービングノードによって、前記サービングノードと前記アンカーノードとの間の前記制御プレーンインターフェースを介して、前記アンカーノードによって送信された非UE関連Non−UE Associatedメッセージを受信するステップであって、前記Non−UE Associated メッセージは、前記MMEから前記アンカーノードによって受信される、ステップ
をさらに含む、請求項1から5のいずれか一項に記載の方法。
【請求項７】
インターフェース確立方法であって、前記方法は、
アンカーノードによって、サービングノードによって送信された第1の指示メッセージを受信し、前記アンカーノードによって、前記第1の指示メッセージに応答して応答情報を前記サービングノードに送信するステップであって、第1の指示情報は、前記サービングノードと前記アンカーノードとの間の第1のインターフェースを確立するように指示するために使用される、ステップ、または
前記アンカーノードによって、第1の指示情報を前記サービングノードに送信し、前記アンカーノードによって、前記第1の指示情報に応答して前記サービングノードによって送信された応答情報を受信するステップであって、前記第1の指示情報は第1のインターフェースを確立するように指示するために使用される、ステップ
を含み、
前記第1のインターフェースは、前記サービングノードと前記アンカーノードとの間の少なくとも制御プレーンインターフェースを含み、前記制御プレーンインターフェースは、ユーザ端末のRRCメッセージを伝送し、前記アンカーノードとMMEとの間のインターフェース接続を確立し、前記サービングノードと前記ユーザ端末との間のエアインターフェース接続を確立する、ために少なくとも使用され、前記ユーザ端末の前記RRCメッセージ内のSRB1またはSRB2で搬送された前記RRCメッセージは、前記アンカーノードによってサービスされ、前記ユーザ端末のSRB0で搬送された前記RRCメッセージは、前記サービングノードによってサービスされる、
方法。
【請求項８】
前記方法は、
前記第1のインターフェースを介して前記アンカーノードによって、前記サービングノードによって送信されたアップリンクRRCメッセージ内の前記SRB1で搬送された前記RRCメッセージまたは前記SRB2で搬送された前記RRCメッセージを受信し、前記RRCメッセージを処理するステップであって、前記アップリンクRRCメッセージは、前記ユーザ端末から前記サービングノードによって受信され、前記アップリンクRRCメッセージは、前記SRB0で搬送された前記RRCメッセージ、前記SRB1で搬送された前記RRCメッセージ、または前記SRB2で搬送された前記RRCメッセージを含む、ステップ、および／または、
前記アンカーノードによって、前記SRB1または前記SRB2に搬送されたダウンリンクRRCメッセージを、前記第1のインターフェースを介して前記サービングノードに送信し、そのため前記サービングノードは、前記SRB1または前記SRB2で搬送された前記ダウンリンクRRCメッセージを前記エアインターフェース接続を介して前記ユーザ端末に送信する、ステップであって、前記ダウンリンクRRCメッセージは、前記SRB1に搬送された前記RRCメッセージまたは前記SRB2に搬送された前記RRCメッセージを含む、ステップ
をさらに含む、請求項7に記載の方法。
【請求項９】
アンカーノードによって、サービングノードによって送信された第1の指示メッセージを受信する前記ステップの前に、前記方法は、
前記アンカーノードによって、前記アンカーノードに関連するサービングノードのサービングノード情報を取得するステップ
をさらに含む、請求項7または8に記載の方法。
【請求項１０】
前記方法は、
前記アンカーノードによって、前記サービングノードによって前記サービングノードにサポートされる必要がある第1のTACを送信する、または前記サービングノードによってサポートされ前記サービングノードによって示される第2のTACを前記アンカーノードによって受信する、ステップと、
前記アンカーノードと前記MMEとの間に確立された前記インターフェースを介して前記アンカーノードによって、前記MMEによって送信されたページングメッセージを受信するステップと、
前記第1のTACまたは前記第2のTACが前記ページングメッセージに含まれる場合、前記アンカーノードによって、前記ページングメッセージを前記第1のインターフェースを介して前記サービングノードに送信するステップと
をさらに含む、請求項7から9のいずれか一項に記載の方法。
【請求項１１】
前記アンカーノードが基地局である、または前記アンカーノードが集中コントローラまたは制御プレーンサーバである、請求項7から10のいずれか一項に記載の方法。
【請求項１２】
前記方法は、
前記アンカーノードによって、前記MMEによって送信されたNon−UE Associatedメッセージを受信し、前記アンカーノードによって、前記サービングノードと前記アンカーノードとの間の前記制御プレーンインターフェースを介して前記Non−UE Associatedメッセージを前記サービングノードに送信するステップ
をさらに含む、請求項7から11のいずれか一項に記載の方法。
【請求項１３】
インターフェース確立装置であって、前記装置は、
第1の指示情報をアンカーノードに送信するように構成された送信部であって、前記第1の指示情報は、サービングノードと前記アンカーノードとの間の第1のインターフェースを確立するように指示するために使用される、送信部、および前記第1の指示情報に応答して前記アンカーノードによって送信された応答情報を受信するように構成された受信部、または
アンカーノードによって送信された第1の指示情報を受信するようにさらに構成された前記受信部であって、前記第1の指示情報は、第1のインターフェースを確立するように指示するために使用される前記受信部、および前記第1の指示情報に応答して応答情報を前記アンカーノードに送信するようにさらに構成された前記送信部
を備え、
前記第1のインターフェースは、前記サービングノードと前記アンカーノードとの間の少なくとも制御プレーンインターフェースを含み、前記制御プレーンインターフェースは、ユーザ端末の無線リソース制御RRCメッセージを伝送し、前記アンカーノードとモビリティ管理エンティティMMEとの間のインターフェース接続を確立し、前記装置と前記ユーザ端末との間のエアインターフェース接続を確立する、ために少なくとも使用され、前記ユーザ端末の前記RRCメッセージ内のシグナリング無線ベアラ1 SRB1またはシグナリング無線ベアラ2 SRB2で搬送された前記RRCメッセージは、前記アンカーノードによってサービスされ、前記ユーザ端末のシグナリング無線ベアラ0 SRB0で搬送された前記RRCメッセージは、前記サービングノードによってサービスされる、
装置。
【請求項１４】
前記装置はさらに処理部を備え、
前記受信部は、前記ユーザ端末によって送信されたアップリンクRRCメッセージを受信するようにさらに構成され、前記アップリンクRRCメッセージは、前記SRB0で搬送された前記RRCメッセージ、前記SRB1で搬送された前記RRCメッセージ、または前記SRB2で搬送された前記RRCメッセージを含み、前記処理部は、前記アップリンクRRCメッセージ内の前記SRB0を処理するように構成され、または前記送信部は、前記第1のインターフェースを介して、前記アップリンクRRCメッセージ内の前記SRB1で搬送された前記RRCメッセージまたは前記SRB2で搬送された前記RRCメッセージを、処理のために前記アンカーノードに送信するようにさらに構成され、および／または、
前記送信部は、前記SRB0に搬送されたダウンリンクRRCメッセージを生成し、前記エアインターフェース接続を介して前記ダウンリンクRRCメッセージを前記ユーザ端末に送信し、または前記第1のインターフェースを介して、前記SRB1または前記SRB2で搬送され、前記アンカーノードによって送信されたダウンリンクRRCメッセージを受信し、前記エアインターフェース接続を介して前記SRB1または前記SRB2で搬送された前記ダウンリンクRRCメッセージを前記ユーザ端末に送信するようにさらに構成されている、
請求項13に記載の装置。
【請求項１５】
前記装置は、
前記サービングノードに関連するアンカーノードのアンカーノード情報を取得するように構成された取得部
をさらに備える、請求項13または14に記載の装置。
【請求項１６】
前記受信部は、前記アンカーノードによって送信され、サポートされる必要がある第1のトラッキングエリアコードTACを受信するようにさらに構成される、または前記送信部は、前記サービングノードによってサポートされる第2のTACを前記アンカーノードに示すようにさらに構成され、
前記受信部は、前記第1のインターフェースを介して前記アンカーノードによって送信されたページングメッセージを受信するようにさらに構成され、前記ページングメッセージは、前記アンカーノードと前記モビリティ管理エンティティとの間に確立された前記インターフェースを介して前記MMEから前記アンカーノードによって受信され、前記第1のTACまたは前記第2のTACは、前記MMEによって送信された前記ページングメッセージに含まれる、
請求項13から15のいずれか一項に記載の装置。
【請求項１７】
前記アンカーノードが基地局である、または前記アンカーノードが集中コントローラまたは制御プレーンサーバである、請求項13から16のいずれか一項に記載の装置。
【請求項１８】
前記受信部は、前記サービングノードと前記アンカーノードとの間の前記制御プレーンインターフェースを介して、前記アンカーノードによって送信された非UE関連Non−UE Associatedメッセージを受信するようにさらに構成され、前記Non−UE Associated メッセージは、前記MMEから前記アンカーノードによって受信される、
請求項13から17のいずれか一項に記載の装置。
【請求項１９】
前記装置は、前記サービングノードに配置される、請求項13から18のいずれか一項に記載の装置。
【請求項２０】
インターフェース確立装置であって、前記装置は、
サービングノードによって送信された第1の指示メッセージを受信するように構成された受信部であって、第1の指示情報が前記サービングノードとアンカーノードとの間の第1のインターフェースを確立するように指示するために使用される、受信部、および前記第1の指示メッセージに応答して応答情報を前記装置に送信するように構成された送信部、または
第1の指示情報を前記サービングノードに送信するようにさらに構成された前記送信部であって、前記第1の指示情報は、第1のインターフェースを確立するように指示するために使用される、前記送信部、および、前記第1の指示情報に応答して前記サービングノードによって送信された応答情報を受信するようにさらに構成された前記受信部
を備え、
前記第1のインターフェースは、前記サービングノードと前記アンカーノードとの間の少なくとも制御プレーンインターフェースを含み、前記制御プレーンインターフェースは、ユーザ端末のRRCメッセージを伝送し、前記装置とMMEとの間のインターフェース接続を確立し、前記サービングノードと前記ユーザ端末との間のエアインターフェース接続を確立する、ために少なくとも使用され、前記ユーザ端末の前記RRCメッセージ内のSRB1またはSRB2で搬送された前記RRCメッセージは、前記アンカーノードによってサービスされ、前記ユーザ端末のSRB0で搬送された前記RRCメッセージは、前記サービングノードによってサービスされる、
装置。
【請求項２１】
前記受信部は、前記第1のインターフェースを介して、前記サービングノードによって送信されたアップリンクRRCメッセージ内の前記SRB1で搬送された前記RRCメッセージまたは前記SRB2で搬送された前記RRCメッセージを受信し、前記RRCメッセージを処理するようにさらに構成され、前記アップリンクRRCメッセージは、前記ユーザ端末から前記サービングノードによって受信され、前記アップリンクRRCメッセージは、前記SRB0で搬送された前記RRCメッセージ、前記SRB1で搬送された前記RRCメッセージ、または前記SRB2で搬送された前記RRCメッセージを含み、および／または
前記送信部は、前記SRB1または前記SRB2に搬送されたダウンリンクRRCメッセージを、前記第1のインターフェースを介して前記サービングノードに送信するようにさらに構成され、そのため前記サービングノードは、前記SRB1または前記SRB2で搬送された前記ダウンリンクRRCメッセージを前記エアインターフェース接続を介して前記ユーザ端末に送信し、前記ダウンリンクRRCメッセージは、前記SRB1に搬送された前記RRCメッセージまたは前記SRB2に搬送された前記RRCメッセージを含む、
請求項20に記載の装置。
【請求項２２】
前記装置は、
前記アンカーノードに関連するサービングノードのサービングノード情報を取得するように構成された取得部
をさらに備える、請求項20から21のいずれか一項に記載の装置。
【請求項２３】
前記送信部は、前記サービングノードによってサポートされる必要がある第1のTACを前記サービングノードに送信するようにさらに構成され、または前記受信部は、前記サービングノードによってサポートされ、前記サービングノードによって示される第2のTACを受信するようにさらに構成され、
前記受信部は、前記装置と前記MMEとの間に確立された前記インターフェースを介して、前記MMEによって送信されたページングメッセージを受信するようにさらに構成され、
前記送信部は、前記第1のTACまたは前記第2のTACが前記ページングメッセージに含まれている場合、前記第1のインターフェースを介して、前記ページングメッセージを前記サービングノードに送信するようにさらに構成されている、
請求項20から22のいずれか一項に記載の装置。
【請求項２４】
前記装置が基地局である、または集中コントローラまたは制御プレーンサーバである、請求項20から23のいずれか一項に記載の装置。
【請求項２５】
前記受信部は、前記MMEによって送信されたNon−UE Associatedメッセージを受信し、前記サービングノードと前記アンカーノードとの間の前記制御プレーンインターフェースを介して前記Non−UE Associatedメッセージを前記サービングノードに送信するようにさらに構成された
請求項20から24のいずれか一項に記載の装置。
【請求項２６】
前記装置は、前記アンカーノードに配置される、請求項20から25のいずれか一項に記載の装置。
【国際調査報告】
2017531970.tif 000016
2017531970.tif 000017
2017531970.tif 000018
2017531970.tif 000019